(57)【要約】【課題】  より迅速に所望する画像を選択する。【解決手段】  シャトル３７は操作されると、その操作に応じて所定の軸を中心として回動する。制御部６０は、シャトル３７が回動された角度を検出する。制御部６０は、シャトル３７が回動されると、その回動された角度に応じて、画像が選択されるまでの時間を変化させて、順序付けられた画像のうち、選択されている画像の次の画像、または前の画像を選択する。本発明は、デジタルスチルカメラ、デジタルビデオカメラなどに適用することができる。【選択図】      図２
2007065946.tif 000002
【特許請求の範囲】
【請求項１】
所定の位置を基準として移動されることにより操作される操作手段と、
前記操作手段が操作されて移動された位置を検出する検出手段と、
前記検出手段により検出された前記位置に応じて、画像が選択されるまでの時間を変化させて、順序付けられた画像のうち、選択されている画像の次の画像、または前の画像を選択する選択手段と
を備える情報処理装置。
【請求項２】
前記検出手段は、前記操作手段が、前記所定の位置を基準とした第１の方向または第２の方向のうち、どちらの方向に操作されたかをさらに検出し、
前記選択手段は、前記操作手段が前記第１の方向に操作された場合、選択されている画像の次の画像を選択し、前記操作手段が前記第２の方向に操作された場合、選択されている画像の前の画像を選択する
請求項１に記載の情報処理装置。
【請求項３】
前記選択手段は、前記操作手段が移動されると、表示手段に表示されている画像を選択するためのカーソルを移動させることにより、選択されている画像の次の画像または前の画像を選択する
請求項１に記載の情報処理装置。
【請求項４】
前記選択手段は、前記操作手段が移動されると、表示手段に表示されている画像の次の画像または前の画像を表示させることにより、選択された画像の次の画像または前の画像を選択する
請求項１に記載の情報処理装置。
【請求項５】
前記操作手段は、操作されていないときには、前記所定の位置に位置する
請求項１に記載の情報処理装置。
【請求項６】
前記選択手段は、画像を選択した後、前記操作手段が操作されたままの状態である場合、さらに、選択されている画像の次の画像、または前の画像を選択する
請求項１に記載の情報処理装置。
【請求項７】
前記操作手段は、所定の軸を中心に回動し、
前記検出手段は、前記操作手段が回動された角度を基に、前記操作手段が移動された位置を検出する
請求項１に記載の情報処理装置。
【請求項８】
前記操作手段は、前記所定の位置を基準として所定の直線上を移動し、
前記検出手段は、前記操作手段が移動された距離を基に、前記操作手段が移動された位置を検出する
請求項１に記載の情報処理装置。
【請求項９】
所定の位置を基準として移動されることにより操作される操作手段が操作されて移動されると、その移動された位置を検出し、
検出された前記位置に応じて、画像が選択されるまでの時間を変化させて、順序付けられた画像のうち、選択されている画像の次の画像、または前の画像を選択する
情報処理方法。
【請求項１０】
所定の位置を基準として移動されることにより操作される操作手段が操作されて移動されると、その移動された位置を検出する検出ステップと、
検出された前記位置に応じて、画像が選択されるまでの時間を変化させて、順序付けられた画像のうち、選択されている画像の次の画像、または前の画像を選択する選択ステップと
をコンピュータに実行させるプログラム。
【発明の詳細な説明】
【技術分野】
【０００１】
本発明は情報処理装置および方法、並びにプログラムに関し、特に、より迅速に所望する画像を選択できるようにした情報処理装置および方法、並びにプログラムに関する。
【背景技術】
【０００２】
CCD（Charge Coupled Devices）やCMOS（Complementary Metal Oxide Semiconductor）などの撮像素子を利用して、静止画像を撮像したり、動画像を撮影したりするデジタルスチルカメラやデジタルビデオカメラなどの画像処理装置が広く知られている。
【０００３】
このような画像処理装置においては、多くの場合、撮像により得られた静止画像データ、または撮影により得られた動画像データは、画像処理装置に着脱可能な記録媒体に記録される。近年では、記録媒体の記録容量が大きくなってきており、これに伴ってより多くの静止画像データまたは動画像データを記録媒体に記録できるようになってきている。なお、以下、静止画像および動画像を特に区別する必要のない場合、単に画像と称する。
【０００４】
ところで、画像処理装置によっては、記録媒体に記録された画像データを基に、画像を表示（再生）する機能を有する装置もある。そのような画像処理装置には、多くの場合、表示されたカーソルを移動させて、画像の一覧から所望する画像を選択するときに操作される十字キーが設けられている。ユーザは、十字キーを操作することにより、カーソルを一定の速度で移動させて所望する画像を選択し、画像処理装置に選択した画像を表示させることができる。
【０００５】
また、従来の画像処理装置には、画像処理装置に設けられたフォーカスリングが操作されると、その操作に応じて画像を選択したり、再生している動画像の再生速度を変化させたりするものもある（例えば、特許文献１参照）。
【０００６】
さらに、画像処理装置には、画像処理装置に設けられたジョグダイアルが回転されると、表示されているカーソルを移動させて画像を選択するものや、画像処理装置に設けられたタッチパネルが押圧される強さによって、表示している画面のスクロール速度を変化させるものもある。
【０００７】
【特許文献１】特開２００２−２１８３０４号公報
【発明の開示】
【発明が解決しようとする課題】
【０００８】
しかしながら、画像処理装置の記録媒体に記録される画像データの数が多くなると、所望する画像を表示させるためには、ユーザは、多くの画像の中から所望する画像を探し出して選択しなければならない。このような場合、上述した技術では、ユーザが所望する画像を選択するために、ユーザは十字キーやフォーカスリングを何度も操作したり、ジョグダイアルを回転させ続けたりしなければならず、ユーザが所望する画像を選択するまでに多くの時間が必要であった。
【０００９】
本発明は、このような状況に鑑みてなされたものであり、より迅速に所望する画像を選択することができるようにするものである。
【課題を解決するための手段】
【００１０】
本発明の一側面の情報処理装置には、所定の位置を基準として移動されることにより操作される操作手段と、前記操作手段が操作されて移動された位置を検出する検出手段と、前記検出手段により検出された前記位置に応じて、画像が選択されるまでの時間を変化させて、順序付けられた画像のうち、選択されている画像の次の画像、または前の画像を選択する選択手段とが設けられている。
【００１１】
前記検出手段には、前記操作手段が、前記所定の位置を基準とした第１の方向または第２の方向のうち、どちらの方向に操作されたかをさらに検出させ、前記選択手段には、前記操作手段が前記第１の方向に操作された場合、選択されている画像の次の画像を選択させ、前記操作手段が前記第２の方向に操作された場合、選択されている画像の前の画像を選択させることができる。
【００１２】
前記選択手段には、前記操作手段が移動されると、表示手段に表示されている画像を選択するためのカーソルを移動させることにより、選択されている画像の次の画像または前の画像を選択させることができる。
【００１３】
前記選択手段には、前記操作手段が移動されると、表示手段に表示されている画像の次の画像または前の画像を表示させることにより、選択された画像の次の画像または前の画像を選択させることができる。
【００１４】
前記操作手段は、操作されていないときには、前記所定の位置に位置するようにすることができる。
【００１５】
前記選択手段には、画像が選択された後、前記操作手段が操作されたままの状態である場合、さらに、選択されている画像の次の画像、または前の画像を選択させることができる。
【００１６】
前記操作手段には、所定の軸を中心に回動させ、前記検出手段には、前記操作手段が回動された角度を基に、前記操作手段が移動された位置を検出させるようにすることができる。
【００１７】
前記操作手段には、前記所定の位置を基準として所定の直線上を移動させ、前記検出手段には、前記操作手段が移動された距離を基に、前記操作手段が移動された位置を検出させるようにすることができる。
【００１８】
本発明の一側面の情報処理方法またはプログラムは、所定の位置を基準として移動されることにより操作される操作手段が操作されて移動されると、その移動された位置を検出し、検出された前記位置に応じて、画像が選択されるまでの時間を変化させて、順序付けられた画像のうち、選択されている画像の次の画像、または前の画像を選択するステップを含む。
【００１９】
本発明の一側面においては、所定の位置を基準として移動されることにより操作される操作手段が操作されて移動されると、その移動された位置が検出され、検出された位置に応じて、画像が選択されるまでの時間が変化して、順序付けられた画像のうち、選択されている画像の次の画像、または前の画像が選択される。
【発明の効果】
【００２０】
以上のように、本発明の一側面によれば、画像を選択することができる。特に、本発明の一側面によれば、より迅速に所望する画像を選択することができる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の一側面の情報処理装置は、所定の位置を基準として移動されることにより操作される操作手段（例えば、図１のシャトル３７）と、前記操作手段が操作されて移動された位置を検出する検出手段（例えば、図３の検出部１２４）と、前記検出手段により検出された前記位置に応じて、画像が選択されるまでの時間を変化させて、順序付けられた画像のうち、選択されている画像の次の画像、または前の画像を選択する選択手段（例えば、図３の再生制御部１２５）とを備える。
【００２３】
前記検出手段（例えば、図１５のステップＳ１９１の処理を実行する検出部１２４）には、前記操作手段（例えば、図１のシャトル３７）が、前記所定の位置を基準とした第１の方向または第２の方向のうち、どちらの方向に操作されたかをさらに検出させ、前記選択手段（例えば、図１５のステップＳ１９３、ステップＳ１９６、ステップＳ１９９、ステップＳ２０３、ステップＳ２０６、またはステップＳ２０８の処理を実行する再生制御部１２５）には、前記操作手段が前記第１の方向に操作された場合、選択されている画像の次の画像を選択させ、前記操作手段が前記第２の方向に操作された場合、選択されている画像の前の画像を選択させることができる。
【００２４】
前記選択手段（例えば、図１５のステップＳ１９３、ステップＳ１９６、ステップＳ１９９、ステップＳ２０３、ステップＳ２０６、またはステップＳ２０８の処理を実行する再生制御部１２５）には、前記操作手段（例えば、図１のシャトル３７）が移動されると、表示手段（例えば、図１の表示部３４）に表示されている画像を選択するためのカーソル（例えば、図１６のカーソル３０３）を移動させることにより、選択されている画像の次の画像または前の画像を選択させることができる。
【００２５】
前記選択手段（例えば、図１８のステップＳ２４３、ステップＳ２４６、ステップＳ２４９、ステップＳ２５３、ステップＳ２５６、またはステップＳ２５８の処理を実行する再生制御部１２５）には、前記操作手段（例えば、図１のシャトル３７）が移動されると、表示手段（例えば、図１の表示部３４）に表示されている画像の次の画像または前の画像を表示させることにより、選択された画像の次の画像または前の画像を選択させることができる。
【００２６】
前記操作手段（例えば、図１のシャトル３７）は、操作されていないときには、前記所定の位置に位置するようにすることができる。
【００２７】
前記選択手段（例えば、図３の再生制御部１２５）には、画像を選択させた後、前記操作手段が操作されたままの状態である場合、さらに、選択されている画像の次の画像、または前の画像を選択させることができる。
【００２８】
前記操作手段（例えば、図１のシャトル３７）には、所定の軸を中心に回動させ、前記検出手段（例えば、図３の検出部１２４）には、前記操作手段が回動された角度を基に、前記操作手段が移動された位置を検出させるようにすることができる。
【００２９】
本発明の一側面の情報処理方法またはプログラムは、所定の位置を基準として移動されることにより操作される操作手段（例えば、図１のシャトル３７）が操作されて移動されると、その移動された位置を検出し（例えば、図１５のステップＳ１９１）、検出された前記位置に応じて、画像が選択されるまでの時間を変化させて、順序付けられた画像のうち、選択されている画像の次の画像、または前の画像を選択する（例えば、図１５のステップＳ１９３、ステップＳ１９６、ステップＳ１９９、ステップＳ２０３、ステップＳ２０６、またはステップＳ２０８）ステップを含む。
【００３０】
以下、図面を参照して本発明を適用した実施の形態について説明する。
【００３１】
図１は、本発明を適用した画像処理装置の外観の構成例を示す図である。この画像処理装置は、例えば、静止画像や動画像を撮影するデジタルスチルカメラ、デジタルビデオカメラなどに適用することができる。
【００３２】
画像処理装置１１は、本体２１および本体２２から構成される。ユーザは、本体２１を把持し、本体２１または本体２２に設けられたボタンなどを操作することで、静止画像や動画像の撮影（撮像）、またはそれらの再生を画像処理装置１１に行わせることができる。
【００３３】
なお、以下の説明において、静止画像および動画像を特に区別する必要のない場合には、単に画像と称する。また、以下の説明においては、画像を撮影するとは、動画像を撮影する場合に限らず、静止画像を撮像（撮影）する場合も含まれることとする。
【００３４】
本体２１には、画像を撮影する記録モード、または画像を再生（表示）する再生モードを選択する（切り替える）ときに操作されるモード切替ボタン３１、静止画像を撮影するときに操作されるシャッタボタン３２、および動画像を撮影するときに操作される録画ボタン３３が設けられている。
【００３５】
本体２２には、画像や各種の設定を行うためのメニュー画面を表示させるための表示部３４が設けられている。また、本体２２には、表示部３４の図中右側に、表示部３４に表示されたカーソルなどを移動させ、画像やメニュー項目を選択するときに操作される十字キー３５−１乃至十字キー３５−４、カーソルにより選択された画像やメニュー項目の表示や実行を決定するときに操作される決定ボタン３６が設けられている。さらに、本体２２には、輪状の操作手段であるシャトル３７が設けられており、シャトル３７は、決定ボタン３６を中心に（決定ボタン３６を軸として）、図中矢印Ｋ１１の方向に回動する構成とされている。このシャトル３７は、回動された角度に応じてカーソルの移動などの処理を行わせるときに操作される。なお、以下、十字キー３５−１乃至十字キー３５−４を個々に区別する必要のない場合、単に十字キー３５と称する。
【００３６】
また、本体２２は、本体２１に対して、決定ボタン３６を中心とし、図中、矢印Ｋ１１の方向に回動させることができるように構成されている。例えば、ユーザは、本体２１を把持したまま本体２２を回動させて、ユーザに対する表示部３４の角度を調整することができるように構成されている。さらに、本体２１に対して本体２２が回動されると、本体２１と本体２２は互いに重なるように構成されている。例えば、ユーザは、本体２２を回動させて、本体２１と本体２２を重ねることによって、画像処理装置１１を小さくまとめることができ、容易に持ち運ぶことができるように構成されている。
【００３７】
さらに、本体２１のモード切替ボタン３１、シャッタボタン３２、および録画ボタン３３が設けられている面とは反対側の面（対向する面）の決定ボタン３６と対向する位置には、撮影を行うための図示せぬレンズが設けられている。したがって、例えば、ユーザは、本体２１を把持してレンズを被写体に向け、表示部３４に表示される画像を見ながら撮影画角を確認し、シャッタボタン３２、または録画ボタン３３を操作して被写体の撮影を行う。
【００３８】
図２は、図１の画像処理装置１１の構成例を示すブロック図である。
【００３９】
画像処理装置１１は、撮影部５１、ＡＤ（Analog Digital）変換部５２、マイクロフォン５３、ＡＤ変換部５４、信号処理部５５、RAM（Random Access Memory）５６、出力部５７、圧縮伸張処理部５８、内部記録部５９、制御部６０、入力部６１、電源制御部６２、ROM（Read Only Memory）６３、およびドライブ６４を含むように構成される。
【００４０】
また、撮影部５１、信号処理部５５、RAM５６、出力部５７、圧縮伸張処理部５８、内部記録部５９、制御部６０、入力部６１、電源制御部６２、ROM６３、およびドライブ６４は、バス６５により相互に接続されている。
【００４１】
撮影部５１は、例えば、CCD、CMOSなどの撮像素子やレンズなどを含む構成とされ、制御部６０の制御の基に被写体を撮影し、撮影により得られた画像信号をＡＤ変換部５２に供給する。例えば、撮影部５１を構成する撮像素子は、図示せぬレンズをから入射した光を受光し、その受光した光の量（光量）に応じた電荷を蓄積して電圧信号を生成し、これを画像信号としてＡＤ変換部５２に供給する。
【００４２】
ＡＤ変換部５２は、撮影部５１から供給された画像信号を、アナログ信号からデジタル信号に変換して信号処理部５５に供給する。
【００４３】
マイクロフォン５３は、画像処理装置１１の周囲の音声を集音し、集音した音声を電気信号である音声信号に変換し、ＡＤ変換部５４に供給する。
【００４４】
ＡＤ変換部５４は、マイクロフォン５３から供給された音声信号を、アナログ信号からデジタル信号に変換して信号処理部５５に供給する。
【００４５】
信号処理部５５は、制御部６０の制御の基に、ＡＤ変換部５２から供給された画像信号、またはＡＤ変換部５４から供給された音声信号に対して、必要に応じて所定の処理を施し、画像データまたは音声データを生成してRAM５６に供給する。例えば、信号処理部５５は、制御部６０の制御の基に、ＡＤ変換部５２から供給された画像信号を、輝度信号（Ｙ信号）と色差信号（Ｃｒ信号およびＣｂ信号）に変換し、ガンマ補正処理などを施して生成された画像データをRAM５６に供給する。
【００４６】
RAM５６は、制御部６０の制御の基に、信号処理部５５から供給された画像データまたは音声データを一時的に記憶し、記憶している画像データまたは音声データを、出力部５７または圧縮伸張処理部５８に供給する。また、RAM５６には、制御部６０が実行するプログラムやデータなども適宜記憶される。
【００４７】
出力部５７は、表示部３４、スピーカ８１などを含むように構成される。例えば、出力部５７の表示部３４は、液晶ディスプレイなどから構成され、RAM５６を介して信号処理部５５から供給された画像データ、または圧縮伸張処理部５８から供給された画像データを基に、画像を表示する。さらに、出力部５７のスピーカ８１は、圧縮伸張処理部５８から供給された音声データを基に音声を再生する。
【００４８】
圧縮伸張処理部５８は、制御部６０の制御の基に、RAM５６から供給された画像データを所定の方式にしたがって圧縮し、圧縮された画像データを生成する。
【００４９】
例えば、静止画像データが生成される場合、圧縮伸張処理部５８は、制御部６０の制御の基に、RAM５６から供給された静止画像データを、JPEG（Joint Photographic Experts Group）などの方式に従って圧縮して、圧縮された静止画像データを生成する。圧縮伸張処理部５８は、生成した静止画像データを、内部記録部５９に供給するか、またはドライブ６４を介してリムーバブルメディア９１に供給する。
【００５０】
なお、より詳細には、圧縮伸張処理部５８は、静止画像データを生成すると、さらに、静止画像データにより表示される静止画像が縮小された静止画像であるサムネイル画像を表示させるためのサムネイル画像データを生成し、静止画像データおよびサムネイル画像データを内部記録部５９またはリムーバブルメディア９１に供給する。以下の説明においては、静止画像データ、サムネイル画像データなどが含まれるファイルを静止画像ファイルと称する。
【００５１】
また、動画像データが生成される場合、圧縮伸張処理部５８は、制御部６０の制御の基に、RAM５６から供給された動画像データを、MPEG（Moving Picture Experts Group phase）２、MPEG４などの方式にしたがって圧縮し、圧縮された動画像データを生成するとともに、RAM５６から供給された音声データを、AAC（Advanced Audio Coding）などの方式にしたがって圧縮して、圧縮された音声データを生成する。圧縮伸張処理部５８は、生成した動画像データおよび音声データを、内部記録部５９に供給するか、またはドライブ６４を介してリムーバブルメディア９１に供給する。
【００５２】
なお、より詳細には、圧縮伸張処理部５８は、動画像データを生成すると、さらに、動画像データにより表示される動画像から抽出され、その動画像を表す静止画像（サムネイル画像）を表示させるためのサムネイル画像データを生成し、動画像データ、音声データ、およびサムネイル画像データを内部記録部５９またはリムーバブルメディア９１に供給する。以下の説明においては、動画像データ、音声データ、サムネイル画像データなどが含まれるファイルを動画像ファイルと称する。
【００５３】
さらに、圧縮伸張処理部５８は、制御部６０の制御の基に、内部記録部５９またはリムーバブルメディア９１から静止画像データ（静止画像ファイル）を取得し、取得した静止画像データを必要に応じて伸張して出力部５７に供給する。さらに、また、圧縮伸張処理部５８は、制御部６０の制御の基に、内部記録部５９またはリムーバブルメディア９１から動画像ファイルを取得し、動画像ファイルに含まれている動画像データおよび音声データを必要に応じて伸張して出力部５７に供給する。
【００５４】
内部記録部５９は、例えば、画像処理装置１１に内蔵されているハードディスク、不揮発性のフラッシュメモリなどから構成され、制御部６０の制御の基に、圧縮伸張処理部５８から供給された静止画像データおよびサムネイル画像データを、静止画像ファイルとして記録する。また、内部記録部５９は、制御部６０の制御の基に、圧縮伸張処理部５８から供給された動画像データ、音声データ、およびサムネイル画像データを、動画像ファイルとして記録する。
【００５５】
さらに、内部記録部５９は、記録している静止画像ファイルまたは動画像ファイルを圧縮伸張処理部５８に供給する。
【００５６】
制御部６０は、例えば、CPU（Central Processing Unit）などから構成され、ROM６３に記録されているプログラムを実行し、画像処理装置１１全体を制御する。また、制御部６０は、入力部６１から供給された入力信号に応じて各種の処理を行う。例えば、制御部６０は、入力部６１からの入力信号に応じて撮影部５１を制御することにより、フォーカス、絞り、シャッタスピードなどを制御する。
【００５７】
入力部６１は、例えば、図１のモード切替ボタン３１、シャッタボタン３２、録画ボタン３３、十字キー３５、決定ボタン３６、シャトル３７などから構成され、ユーザの操作に応じた入力信号を制御部６０に供給する。
【００５８】
電源制御部６２は、制御部６０から電力の供給が指示されると、図示せぬ電池、または画像処理装置１１に接続されている外部電源から画像処理装置１１の各部に電力を供給する。例えば、ユーザが画像処理装置１１の電源をオンすると、入力部６１はユーザの操作に応じて、制御部６０に電源がオンされた旨の入力信号を供給する。すると、制御部６０は、入力部６１からの入力信号に応じて、電源制御部６２に電力の供給を指示するので、電源制御部６２は、制御部６０の指示に応じて画像処理装置１１の各部に電力を供給する。
【００５９】
ROM６３は、各種のプログラムおよびデータを記録し、記録しているプログラムまたはデータを制御部６０に供給する。ドライブ６４には、必要に応じてリムーバブルメディア９１が装着（接続）される。ドライブ６４は、リムーバブルメディア９１が装着されると、必要に応じてリムーバブルメディア９１に記録されているデータを読み出して、制御部６０または圧縮伸張処理部５８に供給したり、制御部６０または圧縮伸張処理部５８から供給されたデータを、リムーバブルメディア９１に供給して記録させたりする。
【００６０】
リムーバブルメディア９１は、例えば、不揮発性のフラッシュメモリ、磁気ディスク、光ディスク、光磁気ディスクなどから構成され、画像処理装置１１に着脱可能とされている。リムーバブルメディア９１は、画像処理装置１１から供給された静止画像ファイル、動画像ファイルなどの各種のデータ（ファイル）を記録する。また、リムーバブルメディア９１は、記録している静止画像ファイル、動画像ファイルなどの各種のデータを画像処理装置１１に供給する。なお、以下、静止画像および動画像における場合と同様に、静止画像ファイルおよび動画像ファイルを特に区別する必要のない場合、単に画像ファイルと称する。
【００６１】
図３は、図２の制御部６０の機能的な構成例を示すブロック図である。
【００６２】
制御部６０は、撮影制御部１２１、判定部１２２、記録制御部１２３、検出部１２４、および再生制御部１２５を含むように構成され、撮影制御部１２１、判定部１２２、記録制御部１２３、検出部１２４、および再生制御部１２５のそれぞれは、互いにデータ（信号）を授受することが可能とされている。
【００６３】
撮影制御部１２１は、撮影部５１（図２）の被写体の撮影を制御する。
【００６４】
判定部１２２は、入力部６１（図２）から供給される入力信号に基づいて、記録モードであるか、または再生モードであるかを判定し、制御部６０にその判定結果に応じた処理を行わせる。また、判定部１２２は、画像の再生中であるか否か、画像の撮影中であるか否かなどの判定の処理を行い、制御部６０にその判定結果に応じた処理を行わせる。
【００６５】
記録制御部１２３は、圧縮伸張処理部５８（図２）を制御して、圧縮伸張処理部５８が生成した静止画像データおよびサムネイル画像データを、内部記録部５９またはリムーバブルメディア９１に供給させて、内部記録部５９またはリムーバブルメディア９１に静止画像ファイルとして記録させる。また、記録制御部１２３は、圧縮伸張処理部５８を制御して、圧縮伸張処理部５８が生成した動画像データ、音声データ、およびサムネイル画像データを、内部記録部５９またはリムーバブルメディア９１に供給させて、内部記録部５９またはリムーバブルメディア９１に動画像ファイルとして記録させる。
【００６６】
検出部１２４は、入力部６１から供給された、シャトル３７（図２）が回動された角度を示す電圧信号の値（以下、シャトル電圧の値とも称する）を測定し、シャトル３７が回動された方向および角度を検出する。
【００６７】
再生制御部１２５は、圧縮伸張処理部５８を制御することによって、内部記録部５９またはリムーバブルメディア９１に記録されている画像ファイルに基づく画像の再生（表示）を制御する。
【００６８】
ところで、図１に示したシャトル３７は、図４Ａに示すように輪状に形成されており、決定ボタン３６を中心として、図中、時計回りまたは反時計回りの方向に回動するようになされている。すなわち、シャトル３７は、ユーザに操作されると、決定ボタン３６を中心として、矢印Ｋ２１または矢印Ｋ２２に示す方向に回動するようになされている。
【００６９】
ここで、矢印Ｋ２３により示される、本体２２上のシャトル３７と隣接する位置を基準位置（以下、基準位置Ｋ２３とも称する）とし、シャトル３７上の互いに隣接する領域を領域１３１−１乃至領域１３１−７とする。シャトル３７が操作されていない状態（ユーザがシャトル３７に触れていない状態）においては、シャトル３７の領域１３１−４が基準位置Ｋ２３と隣接した状態となっている。
【００７０】
この状態において、ユーザがシャトル３７を操作し、シャトル３７を矢印Ｋ２１の方向に回動させると、基準位置Ｋ２３と隣接するシャトル３７上の領域は、領域１３１−４から、領域１３１−５、領域１３１−６、および領域１３１−７の順番で、シャトル３７が回動された角度に応じて変化していく。同様に、基準位置Ｋ２３と領域１３１−４とが隣接している状態で、ユーザがシャトル３７を操作し、シャトル３７を矢印Ｋ２２の方向に回動させると、基準位置Ｋ２３と隣接するシャトル３７上の領域は、領域１３１−４から、領域１３１−３、領域１３１−２、および領域１３１−１の順番で、シャトル３７が回動された角度に応じて変化していく。
【００７１】
以下、基準位置Ｋ２３と領域１３１−１とが隣接した状態となる、基準位置Ｋ２３に対するシャトル３７の位置をポジションＡと称する。同様に、以下、基準位置Ｋ２３と、領域１３１−２乃至領域１３１−７のそれぞれとが隣接した状態となる、基準位置Ｋ２３に対するシャトル３７の位置を、それぞれポジションＢ乃至ポジションＧと称する。例えば、図４Ａでは、領域１３１−４と基準位置Ｋ２３とが隣接した状態となっているので、基準位置Ｋ２３に対するシャトル３７の位置は、ポジションＤとなる。
【００７２】
また、ユーザがシャトル３７を操作して回動させた状態において、ユーザがシャトル３７から手を放し、シャトル３７が操作されていない状態になると、シャトル３７は、ユーザにより回動された方向とは逆の方向に、回動された角度と同じ角度だけ回動して、操作される前の状態に戻るようになされている。
【００７３】
すなわち、ユーザがシャトル３７を回動させて、シャトル３７の基準位置Ｋ２３に対する位置が、ポジションＡ乃至ポジションＣまたはポジションＥ乃至ポジションＧのいずれかの位置となっている状態から、ユーザがシャトル３７から手を放すと、基準位置Ｋ２３に対するシャトル３７の位置は、ポジションＤに戻る。
【００７４】
ユーザが、シャトル３７を操作して回動させると、制御部６０（図２）は、ユーザの操作に応じてシャトル３７が回動された角度を検出する。例えば、入力部６１から制御部６０には、シャトル３７が回動される角度に応じて、大きさが直線的に変化する電圧信号が供給されるようになされており、制御部６０は、この電圧信号の値（シャトル電圧の値）を測定することにより、シャトル３７が回動された角度（基準位置Ｋ２３に対するシャトル３７の位置）を検出する。
【００７５】
例えば、シャトル３７が回動され、基準位置Ｋ２３に対するシャトル３７の位置が変化すると、図４Ｂに示すように、制御部６０において測定されるシャトル電圧の値が変化する。
【００７６】
図４Ｂでは、基準位置Ｋ２３に対するシャトル３７の位置と、そのときに制御部６０において測定されるシャトル電圧の値が示されている。例えば、シャトル３７の位置がポジションＡであるとき、制御部６０において測定されるシャトル電圧の値は、3.2V以上となっている。また、シャトル３７の位置がポジションＢであるとき、制御部６０において測定されるシャトル電圧の値は、2.6V以上3.2V未満であり、シャトル３７の位置がポジションＣであるとき、制御部６０において測定されるシャトル電圧の値は、2.1V以上2.6V未満であり、シャトル３７の位置がポジションＤであるとき、制御部６０において測定されるシャトル電圧の値は、1.7V以上2.1V未満である。
【００７７】
同様に、シャトル３７の位置がポジションＥであるとき、制御部６０において測定されるシャトル電圧の値は、1.2V以上1.7V未満であり、シャトル３７の位置がポジションＦであるとき、制御部６０において測定されるシャトル電圧の値は、0.4V以上1.2V未満であり、シャトル３７の位置がポジションＧであるとき、制御部６０において測定されるシャトル電圧の値は、0.4V未満である。
【００７８】
例えば、制御部６０には、図５に示すように、線１４１を介して可変抵抗１４２が接続されている。また、可変抵抗１４２の端子１４３から制御部６０には、可変抵抗１４２と線１４１との接点１４４、および線１４１を介して、電圧信号が供給されるようになされている。
【００７９】
また、接点１４４にはシャトル３７（図示せず）が接続されており、シャトル３７が回動すると、シャトル３７の動きと連動して、可変抵抗１４２と線１４１との接点１４４が、図中、上下方向に移動するようになされている。
【００８０】
さらに、可変抵抗１４２の端子１４３とは反対側の端子は、アースに接続されており、可変抵抗１４２の両端には一定の電圧が掛けられている。そして、可変抵抗１４２に掛かる電圧は、接点１４４において分圧されているので、シャトル３７が回動して接点１４４が図中、上下方向に移動すると、端子１４３から制御部６０に供給される電圧信号の値（シャトル電圧の値）は変化する。
【００８１】
制御部６０は、端子１４３から供給される電圧信号をアナログ信号からデジタル信号に変換して、シャトル電圧の値を測定し、測定された値、すなわち基準位置Ｋ２３に対するシャトル３７の位置に応じた処理を行う。
【００８２】
例えば、記録モード、または再生モードが選択され、各処理が実行されているときにシャトル３７が操作されると、制御部６０は、図６に示すように、シャトル３７の位置に応じた処理を行う。図６では、記録モード、または再生モードにおける各処理が実行されているときに、操作されたシャトル３７の位置に応じて行われる処理が示されている。
【００８３】
例えば、ユーザにより記録モードが選択され、静止画像または動画像の撮影の待機中、すなわち、ユーザが撮影する画像の画角を確認するための画像（いわゆるスルー画像）が表示部３４に表示されている場合に、シャトル３７がポジションＡ乃至ポジションＣのうちのいずれかの位置となるように操作されたとき、制御部６０は、露出値を予め定められた所定の値だけ減少させる。逆に静止画像または動画像の撮影の待機中にシャトル３７がポジションＥ乃至ポジションＧのうちのいずれかの位置となるように操作されたとき、制御部６０は、露出値を予め定められた所定の値だけ増加させる。
【００８４】
また、ユーザにより記録モードが選択され、動画像の撮影中に、シャトル３７がポジションＡの位置となるように操作されたとき、制御部６０はズーム速度１秒で広角ズーム処理を行い、シャトル３７がポジションＢの位置となるように操作されたとき、制御部６０はズーム速度３秒で広角ズーム処理を行い、シャトル３７がポジションＣの位置となるように操作されたとき、制御部６０はズーム速度６秒で広角ズーム処理を行う。
【００８５】
同様に、ユーザにより記録モードが選択され、動画像の撮影中に、シャトル３７がポジションＥの位置となるように操作されたとき、制御部６０はズーム速度６秒で望遠ズーム処理を行い、シャトル３７がポジションＦの位置となるように操作されたとき、制御部６０はズーム速度３秒で望遠ズーム処理を行い、シャトル３７がポジションＧの位置となるように操作されたとき、制御部６０はズーム速度１秒で望遠ズーム処理を行う。
【００８６】
また、ユーザにより再生モードが選択され、再生する画像（サムネイル画像）の一覧である一覧表示画面が表示部３４に表示されているときに、シャトル３７がポジションＡ乃至ポジションＣのいずれかの位置となるように操作されると、制御部６０は、サムネイル画像を選択するためのカーソルを移動させて、現在選択されているサムネイル画像の前のサムネイル画像を選択する。このとき、制御部６０は、ポジションＡ乃至ポジションＣの順番で、カーソルの移動する速度が速くなるようにカーソルの移動を制御する。
【００８７】
同様に、ユーザにより再生モードが選択され、一覧表示画面が表示部３４に表示されているときに、シャトル３７がポジションＥ乃至ポジションＧのいずれかの位置となるように操作されると、制御部６０は、サムネイル画像を選択するためのカーソルを移動させて、現在選択されているサムネイル画像の次のサムネイル画像を選択する。このとき、制御部６０は、ポジションＧ乃至ポジションＥの順番で、カーソルの移動する速度が速くなるようにカーソルの移動を制御する。
【００８８】
さらに、再生モードが選択され、静止画像が再生されているときに、シャトル３７がポジションＡ乃至ポジションＣのいずれかの位置となるように操作されると、制御部６０は、現在再生（表示）されている静止画像の前の静止画像を表示部３４に表示させる。このとき、制御部６０は、ポジションＡ乃至ポジションＣの順番で、前の静止画像が表示される速度（表示が切り替わる速度）が速くなるように、静止画像の表示を制御する。
【００８９】
同様に、再生モードが選択され、静止画像が再生されているときに、シャトル３７がポジションＥ乃至ポジションＧのいずれかの位置となるように操作されると、制御部６０は、現在再生（表示）されている静止画像の次の静止画像を表示部３４に表示させる。このとき、制御部６０は、ポジションＧ乃至ポジションＥの順番で、次の静止画像が表示される速度が速くなるように、静止画像の表示を制御する。
【００９０】
また、再生モードが選択され、動画像を構成する静止画像のうちの先頭の静止画像（以下、先頭画像とも称する）が表示されているときに、シャトル３７がポジションＡ乃至ポジションＣのいずれかの位置となるように操作されると、制御部６０は、現在表示されている動画像（先頭画像）の前の動画像の先頭画像を表示部３４に表示させる。このとき、制御部６０は、ポジションＡ乃至ポジションＣの順番で、前の動画像の先頭画像が表示される速度（表示が切り替わる速度）が速くなるように、先頭画像の表示を制御する。
【００９１】
同様に、再生モードが選択され、動画像の先頭画像が表示されているときに、シャトル３７がポジションＥ乃至ポジションＧのいずれかの位置となるように操作されると、制御部６０は、現在表示されている動画像（先頭画像）の次の動画像の先頭画像を表示部３４に表示させる。このとき、制御部６０は、ポジションＧ乃至ポジションＥの順番で、次の動画像の先頭画像が表示される速度が速くなるように、先頭画像の表示を制御する。
【００９２】
また、再生モードが選択され、再生されている動画像が一時停止中であるときに、シャトル３７がポジションＡの位置となるように操作されると、制御部６０は、一時停止されている動画像を１６倍速で巻き戻し再生させ、シャトル３７がポジションＢの位置となるように操作されると、制御部６０は、一時停止されている動画像を８倍速で巻き戻し再生させ、シャトル３７がポジションＣの位置となるように操作されると、制御部６０は、一時停止されている動画像を４倍速で巻き戻し再生させる。
【００９３】
同様に、再生モードが選択され、再生されている動画像が一時停止中であるときに、シャトル３７がポジションＥの位置となるように操作されると、制御部６０は、一時停止されている動画像を４倍速で早送り再生させ、シャトル３７がポジションＦの位置となるように操作されると、制御部６０は、一時停止されている動画像を８倍速で早送り再生させ、シャトル３７がポジションＧの位置となるように操作されると、制御部６０は、一時停止されている動画像を１６倍速で早送り再生させる。
【００９４】
動画像が一時停止中である状態から、シャトル３７が操作され、動画像が早送り再生または巻き戻し再生されているときに、さらにシャトル３７が操作されると、制御部６０は、シャトル３７の位置に応じて、動画像の再生速度を変化させる。また、動画像が一時停止中である状態から、シャトル３７が操作され、動画像がシャトル３７の位置に応じた再生速度で再生されているときに、さらに、シャトル３７の位置がポジションＤとなるように操作されると、制御部６０は、再生されている動画像を一時停止させる。
【００９５】
さらに、再生モードが選択され、動画像が再生されているときに、シャトル３７がポジションＡの位置となるように操作されると、制御部６０は、再生されている動画像を１６倍速で巻き戻し再生させ、シャトル３７がポジションＢの位置となるように操作されると、制御部６０は、再生されている動画像を８倍速で巻き戻し再生させ、シャトル３７がポジションＣの位置となるように操作されると、制御部６０は、再生されている動画像を４倍速で巻き戻し再生させる。
【００９６】
同様に、再生モードが選択され、動画像が再生されているときに、シャトル３７がポジションＥの位置となるように操作されると、制御部６０は、再生されている動画像を４倍速で早送り再生させ、シャトル３７がポジションＦの位置となるように操作されると、制御部６０は、再生されている動画像を８倍速で早送り再生させ、シャトル３７がポジションＧの位置となるように操作されると、制御部６０は、再生されている動画像を１６倍速で早送り再生させる。
【００９７】
また、動画像が早送り再生、または巻き戻し再生されているときに、シャトル３７がポジションＤの位置となるように操作されると、制御部６０は、早送り再生、または巻き戻し再生されている動画像を通常の再生速度で再生させる。
【００９８】
なお、画像処理装置１１に、所定の直線上を移動するシャトルを設けて、シャトルが操作されて移動された距離（移動された位置）に応じた処理を行わせるようにしてもよい。この場合、例えば、画像処理装置１１上の所定の位置を基準となる位置（基準位置）として、基準位置に対するシャトルの位置を、シャトルが移動された距離に応じて段階的にポジションＡ乃至ポジションＧとする。そして、記録モードまたは再生モードが選択され、各処理が実行されているときに、制御部６０は、図６を参照して説明した場合と同様にして、操作されたシャトルの位置（ポジションＡ乃至ポジションＧのいずれかの位置）に応じた処理を行う。
【００９９】
次に、図７のフローチャートを参照して、画像処理装置１１による起動処理について説明する。
【０１００】
ユーザが画像処理装置１１（図２）の入力部６１（図２）を操作して、画像処理装置１１の電源をオンすると、入力部６１はユーザの操作に応じて、制御部６０（図２）に電源がオンされた旨の入力信号を供給する。すると、制御部６０は、入力部６１からの入力信号に応じて、電源制御部６２（図２）に電力の供給を指示する。
【０１０１】
電源制御部６２が制御部６０から電力の供給を指示されると、ステップＳ１１において、電源制御部６２は、制御部６０の指示に応じて画像処理装置１１の各部に電力を供給して、画像処理装置１１を起動させる。
【０１０２】
ステップＳ１２において、判定部１２２（図３）は、記録モードであるか否かを判定する。例えば、ユーザがモード切替ボタン３１（図１）を操作して、記録モードを選択すると、入力部６１から制御部６０の判定部１２２には、記録モードが選択された旨の信号が供給される。判定部１２２は、入力部６１から記録モードが選択された旨の信号が供給された場合、記録モードであると判定する。
【０１０３】
ステップＳ１２において、記録モードであると判定された場合、ステップＳ１３に進み、画像処理装置１１は記録処理を行う。なお、記録処理の詳細は後述するが、画像処理装置１１は、記録処理において、ユーザの操作に応じて静止画像または動画像の撮影を行う。
【０１０４】
これに対して、ステップＳ１２において、記録モードでないと判定された場合、すなわち、再生モードである場合、ステップＳ１４に進み、画像処理装置１１は再生処理を行う。なお、再生処理の詳細は後述するが、再生処理において画像処理装置１１は、撮影により得られた画像ファイルを基に、静止画像または動画像の再生を行う。
【０１０５】
ステップＳ１３において記録処理が行われるか、またはステップＳ１４において再生処理が行われると、ステップＳ１５において、判定部１２２は、処理の終了が指示されたか否かを判定する。例えば、ユーザが入力部６１を操作して、電源のオフを指示すると、入力部６１から制御部６０の判定部１２２には、電源のオフを指示する信号が供給される。判定部１２２は、入力部６１から電源のオフを指示する信号が供給されると、終了が指示されたと判定する。
【０１０６】
ステップＳ１５において、終了が指示されていないと判定された場合、継続して所定の処理を行うので、ステップＳ１２に戻り、上述した処理が繰り返される。
【０１０７】
一方、ステップＳ１５において、終了が指示されたと判定された場合、画像処理装置１１は、処理を終了して電源をオフし、起動の処理は終了する。例えば、入力部６１から制御部６０に電源のオフを指示する信号が供給されると、制御部６０は、入力部６１からの信号に応じて、電源制御部６２に電力の供給の遮断を指示する。電源制御部６２は、制御部６０から電力の供給の遮断が指示されると、画像処理装置１１の各部への電力の供給を遮断して、画像処理装置１１の電源をオフする。
【０１０８】
このようにして、画像処理装置１１は、記録モードが選択されると、ユーザの操作に応じて画像の撮影を行い、再生モードが選択されると、ユーザの操作に応じて画像の再生を行う。
【０１０９】
次に、図８のフローチャートを参照して、図７のステップＳ１３の処理に対応する記録処理について説明する。
【０１１０】
ステップＳ４１において、判定部１２２（図３）は、静止画像または動画像の撮影の待機中であるか否かを判定する。例えば、撮影する画像の画角を確認するためのスルー画像が表示部３４（図２）に表示された状態において、ユーザがシャッタボタン３２（図１）、または録画ボタン３３（図１）を操作すると、入力部６１から制御部６０の判定部１２２には、画像の撮影を指示する信号が供給される。判定部１２２は、入力部６１から画像の撮影を指示する信号が供給された場合、撮影の待機中ではないと判定する。
【０１１１】
ステップＳ４１において、撮影の待機中であると判定された場合、ステップＳ４２に進み、制御部６０は、露出値の調整処理を行う。なお、露出値の調整処理の詳細は後述するが、露出値の調整処理において、制御部６０は、シャトル３７が回動された角度に応じて、露出値の調整を行う。
【０１１２】
ステップＳ４３において、制御部６０は、ユーザの操作に応じた処理を行い、図７のステップＳ１５に進む。例えば、ユーザが録画ボタン３３を操作すると、入力部６１はユーザの操作に応じて、制御部６０に動画像の撮影を指示する信号を供給する。制御部６０の撮影制御部１２１は、入力部６１から動画像の撮影を指示する信号が供給されると、撮影部５１を制御して被写体を撮影させる。
【０１１３】
また、ステップＳ４１において、撮影の待機中でないと判定された場合、ステップＳ４４に進み、判定部１２２は、動画像の撮影中であるか否かを判定する。例えば、ユーザにより録画ボタン３３が操作されて、撮影制御部１２１が撮影部５１による被写体の撮影を制御している場合、判定部１２２は、動画像の撮影中であると判定する。
【０１１４】
ステップＳ４４において、動画像の撮影中であると判定された場合、ステップＳ４５に進み、撮影制御部１２１は、継続して撮影部５１による動画像の撮影を制御する。撮影部５１は撮影制御部１２１の制御の基に、被写体を撮影して電圧信号を生成し、これを画像信号としてＡＤ変換部５２を介して信号処理部５５に供給する。また、マイクロフォン５３は、周囲の音声を集音し、集音した音声を電気信号である音声信号に変換し、ＡＤ変換部５４を介して信号処理部５５に供給する。
【０１１５】
信号処理部５５は、撮影制御部１２１の制御の基に、ＡＤ変換部５２から供給された画像信号、およびＡＤ変換部５４から供給された音声信号に対して、必要に応じてガンマ補正処理などの所定の処理を施して、動画像データおよび音声データを生成し、RAM５６を介して圧縮伸張処理部５８に供給する。
【０１１６】
圧縮伸張処理部５８は、記録制御部１２３の制御の基に、RAM５６から供給された動画像データを、MPEG２などの方式により圧縮し、圧縮された動画像データを生成するとともに、RAM５６から供給された音声データを、AACなどの方式により圧縮し、圧縮された音声データを生成する。さらに、圧縮伸張処理部５８は、生成した動画像データにより表示される動画像から所定の静止画像を抽出してサムネイル画像データを生成する。圧縮伸張処理部５８は、生成した動画像データ、音声データ、およびサムネイル画像データを、内部記録部５９またはリムーバブルメディア９１に供給する。
【０１１７】
また、記録制御部１２３は、動画像ファイルのファイル名、撮影日時、露出値、GPS（Global Positioning System）により取得された画像処理装置１１の位置を示す位置情報などが含まれるExif（Exchangeable Image File Format）情報を生成して内部記録部５９またはリムーバブルメディア９１に供給する。
【０１１８】
内部記録部５９またはリムーバブルメディア９１は、記録制御部１２３の制御の基に、動画像データ、音声データ、サムネイル画像データ、およびExif情報を動画像ファイルとして記録する。
【０１１９】
撮影制御部１２１が動画像の撮影を制御すると、ステップＳ４６において、制御部６０は、ズーム処理を行う。なお、ズーム処理の詳細は後述するが、ズーム処理において、制御部６０は、シャトル３７が回動された角度に応じて、撮影する画像の画角を広くする広角ズーム処理または、撮影する画像の画角を狭くする望遠ズーム処理を行う。
【０１２０】
ステップＳ４７において、制御部６０は、ユーザの操作に応じた処理を行い、図７のステップＳ１５に進む。例えば、ユーザが入力部６１を操作して、動画像の撮影の終了を指示すると、入力部６１から制御部６０には動画像の撮影の終了を指示する信号が供給される。制御部６０の撮影制御部１２１は、入力部６１から動画像の撮影の終了を指示する信号が供給されると、撮影部５１に動画像の撮影を終了させる。
【０１２１】
また、ステップＳ４４において、動画像の撮影中でないと判定された場合、ステップＳ４８に進み、制御部６０は、ユーザの操作に応じた処理を行い、図７のステップＳ１５に進む。例えば、ユーザがシャッタボタン３２を操作すると、入力部６１から制御部６０の撮影制御部１２１には、静止画像の撮影を指示する信号が供給される。入力部６１から撮影制御部１２１に静止画像の撮影を指示する信号が供給されると、撮影制御部１２１は、撮影部５１に被写体を撮影させる。
【０１２２】
撮影部５１は、撮影制御部１２１の制御の基に、被写体を撮影して画像信号を生成し、ＡＤ変換部５２、信号処理部５５を介して、RAM５６に供給する。圧縮伸張処理部５８は、記録制御部１２３の制御の基に、RAM５６から供給された静止画像データを、JPEGなどの方式に従って圧縮して、圧縮された静止画像データを生成する。さらに、圧縮伸張処理部５８は、生成した静止画像データを基に、サムネイル画像データを生成して、生成した静止画像データおよびサムネイル画像データを、内部記録部５９またはリムーバブルメディア９１に供給する。
【０１２３】
また、記録制御部１２３は、静止画像ファイルのファイル名、撮影日時、露出値、GPSにより取得された画像処理装置１１の位置を示す位置情報などが含まれるExif情報を生成して内部記録部５９またはリムーバブルメディア９１に供給する。内部記録部５９またはリムーバブルメディア９１は、記録制御部１２３の制御の基に、静止画像データ、サムネイル画像データ、およびExif情報を静止画像ファイルとして記録する。
【０１２４】
このようにして、画像処理装置１１は、ユーザの操作に応じて、画像の撮影を行う。そして、画像の撮影の待機中、または動画像の撮影中にシャトル３７が操作されると、シャトル３７が回動された角度に応じた処理を行う。
【０１２５】
ところで、画像処理装置１１が画像を撮影することにより得られた画像ファイルが、内部記録部５９に供給されて記録される場合、図９に示すように、画像ファイルは、動画像フォルダまたは静止画像フォルダに格納されて記録される。
【０１２６】
図９では、内部記録部５９（図２）には、動画像ファイルを格納して記録するための動画像フォルダ２０１、および静止画像ファイルを格納して記録するための静止画像フォルダ２０２が記録されている。
【０１２７】
また、動画像フォルダ２０１には、動画像ファイルおよび静止画像ファイルを管理するためのプロパティファイル２０３、および動画像ファイルが格納されるサブフォルダ２０４が格納されている。そして、サブフォルダ２０４には、動画像ファイル２０５−１および動画像ファイル２０５−２が格納されている。
【０１２８】
以下、動画像ファイル２０５−１および動画像ファイル２０５−２を個々に区別する必要のない場合、単に動画像ファイル２０５と称する。
【０１２９】
また、静止画像フォルダ２０２には、静止画像ファイルを格納するためのサブフォルダ２０６−１およびサブフォルダ２０６−２が格納されている。サブフォルダ２０６−１には、静止画像ファイル２０７−１乃至静止画像ファイル２０７−５が格納されており、サブフォルダ２０６−２には、静止画像ファイル２０７−６および静止画像ファイル２０７−７が格納されている。
【０１３０】
なお、以下、サブフォルダ２０６−１およびサブフォルダ２０６−２を個々に区別する必要のない場合、単にサブフォルダ２０６と称する。また、以下、静止画像ファイル２０７−１乃至静止画像ファイル２０７−７のそれぞれを個々に区別する必要のない場合、単に静止画像ファイル２０７と称する。
【０１３１】
また、プロパティファイル２０３には、内部記録部５９の仮想的なディレクトリ構造を示す情報が含まれている。プロパティファイル２０３は、動画像ファイル２０５または静止画像ファイル２０７が内部記録部５９に記録されるたびに記録制御部１２３によって更新される。
【０１３２】
例えば、記録制御部１２３は、動画像ファイル２０５または静止画像ファイル２０７が新たに内部記録部５９に記録されると、記録された動画像ファイル２０５または静止画像ファイル２０７に含まれているExif情報を参照して、内部記録部５９に記録されているプロパティファイル２０３を更新する。
【０１３３】
このように、図９に示したディレクトリ構造においては、プロパティファイル２０３が設けられ、動画像フォルダ２０１に動画像ファイル２０５が格納され、静止画像フォルダ２０２に静止画像ファイル２０７が格納されるとして説明した。プロパティファイル２０３は、以下に説明するように、例えば、撮影された日付順（日付毎）に、画像ファイルが管理されるような仮想的なディレクトリ構造を有する情報を管理する。
【０１３４】
仮想的なディレクトリ構造を示す情報が含まれるプロパティファイル２０３を設けるようにすれば、図９に示したように、動画像フォルダ２０１に動画像ファイル２０５が格納され、静止画像フォルダ２０２に静止画像ファイル２０７が格納されるというような規則的な管理が行われなくても、プロパティファイル２０３を参照するだけで、規則的に、画像ファイルを管理することが可能となる。
【０１３５】
例えば、動画像ファイル２０５や静止画像ファイル２０７を１つのフォルダで管理するようにしても、プロパティファイル２０３を参照することにより、日付順に並び変えたり、動画像ファイル２０５や静止画像ファイル２０７だけに分類したりするといった処理が可能となる。よって、以下の説明においては、図９に示したようなディレクトリ構造を有するとして説明を続けるが、動画像フォルダ２０１や静止画像フォルダ２０２を設けない（単に、フォルダとして設ける）ようにしたり、１つのフォルダだけで、動画像ファイル２０５や静止画像ファイル２０７が管理されるようにしたりするようにしても良い。
【０１３６】
プロパティファイル２０３は、所定のフォルダに記録されている画像ファイルを管理する管理ファイルとして用いることができる。
【０１３７】
例えば、プロパティファイル２０３には、図１０に示される、仮想的なディレクトリ構造を示す情報が含まれている。なお、図１０において、図９における場合と対応する部分には同一の符号を付してあり、その説明は適宜省略する。
【０１３８】
図１０では、ルートフォルダ２２１に日付ルートフォルダ２２２が格納されており、さらに、日付ルートフォルダ２２２には、日付フォルダ２２３−１乃至日付フォルダ２２３−４が格納されている。日付フォルダ２２３−１乃至日付フォルダ２２３−４のそれぞれには、フォルダ名として所定の日付が付されており、日付フォルダ２２３−１乃至日付フォルダ２２３−４は、フォルダ名により示される日付順に並べられて格納されている。
【０１３９】
動画像ファイル２０５または静止画像ファイル２０７は、動画像ファイル２０５または静止画像ファイル２０７の撮影日時と同じ日付がフォルダ名として付された日付フォルダに格納されて記録される。
【０１４０】
日付フォルダ２３３−１には、静止画像ファイル２０７−１が格納されている。また、日付フォルダ２２３−２には、動画像ファイル２０５−１、静止画像ファイル２０７−２、および静止画像ファイル２０７−３が撮影日時順に並べられて格納されている。
【０１４１】
日付フォルダ２２３−３には、静止画像ファイル２０７−５、および動画像ファイル２０５−２が撮影日時順に並べられて格納されており、日付フォルダ２２３−４には、静止画像ファイル２０７−４、静止画像ファイル２０７−６、および静止画像ファイル２０７−７が撮影日時順に並べられて格納されている。
【０１４２】
例えば、日付フォルダ２２３−３のフォルダ名が、２００５年８月１日を示す“2005．08.01”であり、動画像ファイル２０５および静止画像ファイル２０７のうち、撮影日時により示される撮影日が２００５年８月１日である動画像ファイル２０５または静止画像ファイル２０７が、静止画像ファイル２０７−５および動画像ファイル２０５−２である場合、日付フォルダ２２３−３には、静止画像ファイル２０７−５および動画像ファイル２０５−２が格納される。
【０１４３】
以下、日付フォルダ２２３−１乃至日付フォルダ２２３−４のそれぞれを個々に区別する必要のない場合、単に日付フォルダ２２３と称する。
【０１４４】
なお、図１０では、プロパティファイル２０３（図９）に含まれる、仮想的なディレクトリ構造を示す情報として、動画像ファイル２０５および静止画像ファイル２０７が日付ごとの日付フォルダ２２３に仮想的に格納される例について説明したが、プロパティファイル２０３には、日付フォルダ２２３に限らず、動画像ファイル２０５および静止画像ファイル２０７が、露出値ごとのフォルダや、GPSにより取得される位置情報ごとのフォルダなどに仮想的に格納されているディレクトリ構造を示す情報が含まれるようにしてもよく、プロパティファイル２０３に複数の仮想的なディレクトリ構造を示す情報が含まれるようにしてもよい。
【０１４５】
また、プロパティファイル２０３には、仮想的なディレクトリ構造を示す情報が含まれると説明したが、これに限らず、内部記録部５９に記録されている各画像ファイルのファイル名、露出値、撮影日時、GPSにより取得される位置情報などを示す情報が互いに関連付けられてプロパティファイル２０３に含まれるようにしてもよい。
【０１４６】
このように、図９に示した動画像フォルダ２０１には、仮想的なディレクトリ構造を示す情報が含まれるプロパティファイル２０３が格納されて記録されている。これにより、画像処理装置１１は、プロパティファイル２０３を参照することによって、内部記録部５９に記録されている動画像ファイル２０５および静止画像ファイル２０７のうち、所定の日に撮影された動画像ファイル２０５または静止画像ファイル２０７などの、所定の条件を満たす動画像ファイル２０５または静止画像ファイル２０７を容易に検索することができる。
【０１４７】
また、内部記録部５９が、画像処理装置１１に内蔵されている記録媒体であるのに対して、リムーバブルメディア９１は、画像処理装置１１に対して着脱可能な記録媒体であり、例えば、リムーバブルメディア９１は、画像処理装置１１から外され、プリンタなどの印刷装置や、パーソナルコンピュータなどにも装着される場合がある。そのような場合、印刷装置などの画像処理装置１１とは異なる装置が、装着されたリムーバブルメディア９１に記録されている画像ファイルを認識できるように、リムーバブルメディア９１に記録される画像ファイルは、例えば、DCF（Design rule for Camera File system）などの一般的に用いられている規格にしたがって記録されることが望ましい。
【０１４８】
画像処理装置１１が画像を撮影することにより得られた画像ファイルが、リムーバブルメディア９１に供給されて記録される場合、画像ファイルはDCFなどの規格にしたがって、例えば、図１１に示すように、動画像フォルダまたは静止画像フォルダに格納されて記録される。
【０１４９】
図１１では、リムーバブルメディア９１（図２）には、動画像ファイルを格納して記録するための動画像フォルダ２５１、および静止画像ファイルを格納して記録するための静止画像フォルダ２５２が記録されている。
【０１５０】
また、動画像フォルダ２５１には、動画像ファイルが格納されるサブフォルダ２５３が格納されている。そして、サブフォルダ２５３には、動画像ファイル２５４−１および動画像ファイル２５４−２が撮影された順に並べられて格納されている。以下、動画像ファイル２５４−１および動画像ファイル２５４−２を個々に区別する必要のない場合、単に動画像ファイル２５４と称する。
【０１５１】
静止画像フォルダ２５２には、静止画像ファイルを格納するためのサブフォルダ２５５−１およびサブフォルダ２５５−２が格納されている。サブフォルダ２５５−１には、静止画像ファイル２５６−１乃至静止画像ファイル２５６−５が撮影された順に並べられて格納されており、サブフォルダ２５５−２には、静止画像ファイル２５６−６および静止画像ファイル２５６−７が撮影された順に並べられて格納されている。
【０１５２】
なお、以下、サブフォルダ２５５−１およびサブフォルダ２５５−２を個々に区別する必要のない場合、単にサブフォルダ２５５と称する。また、以下、静止画像ファイル２５６−１乃至静止画像ファイル２５６−７のそれぞれを個々に区別する必要のない場合、単に静止画像ファイル２５６と称する。
【０１５３】
次に、図１２のフローチャートを参照して、図８のステップＳ４２の処理に対応する露出値の調整処理について説明する。
【０１５４】
この露出値の調整の処理は、記録モードが選択され、判定部１２２（図３）によって、静止画像または動画像の撮影の待機中であると判定されると開始される。
【０１５５】
ステップＳ８１において、検出部１２４（図３）は、入力部６１から供給された、シャトル３７（図４）が回動された角度を示す電圧信号の値（シャトル電圧の値）を測定する。
【０１５６】
ステップＳ８２において、検出部１２４は、測定したシャトル電圧の値が1.7V未満であるか否かを判定する。
【０１５７】
ステップＳ８２において、シャトル電圧の値が1.7V未満であると判定された場合、すなわち、シャトル３７の位置がポジションＥ乃至ポジションＧのうちのいずれかである場合、ステップＳ８３に進み、撮影制御部１２１（図３）は、撮影部５１を制御して、設定されているシャッタスピード、絞り値などを変更させることにより、露出値を予め定められている所定の値だけ増加させる。
【０１５８】
ステップＳ８４において、撮影制御部１２１は、露出値を増加させてから新たに次の処理を受け付けるまで、400msecだけ待機して、処理は図８のステップＳ４３に進む。
【０１５９】
一方、ステップＳ８２において、シャトル電圧の値が1.7V未満でないと判定された場合、ステップＳ８５に進み、検出部１２４は、測定したシャトル電圧の値が1.7V以上2.1V未満であるか否かを判定する。
【０１６０】
ステップＳ８５において、シャトル電圧の値が1.7V以上2.1V未満であると判定された場合、すなわち、シャトル３７の位置がポジションＤである場合、処理は図８のステップＳ４３に進む。
【０１６１】
これに対して、ステップＳ８５において、シャトル電圧の値が1.7V以上2.1V未満でないと判定された場合、すなわち、シャトル３７の位置がポジションＡ乃至ポジションＣのうちのいずれかである場合、ステップＳ８６に進み、撮影制御部１２１は、撮影部５１を制御して、設定されているシャッタスピード、絞り値などを変更させることにより、露出値を予め定められている所定の値だけ減少させる。
【０１６２】
ステップＳ８７において、撮影制御部１２１は、露出値を減少させてから新たに次の処理を受け付けるまで、400msecだけ待機して、処理は図８のステップＳ４３に進む。
【０１６３】
このようにして、制御部６０は、静止画像または動画像の撮影の待機中に、シャトル３７が操作されて回動されると、シャトル３７が回動された方向に応じて、露出値を所定の値だけ増加させるか、または減少させる。
【０１６４】
このように、シャトル３７が回動された方向に応じて露出値を増加させるか、または減少させることによって、ユーザは、シャトル３７を回動させるという簡単な操作で、露出値の調整を行うことができる。
【０１６５】
次に、図１３のフローチャートを参照して、図８のステップＳ４６の処理に対応するズーム処理について説明する。このズーム処理は、記録モードが選択され、動画像の撮影が行われているときに行われる。
【０１６６】
ステップＳ１１１において、検出部１２４（図３）は、入力部６１から供給された、シャトル３７（図４）が回動された角度を示す電圧信号の値（シャトル電圧の値）を測定する。
【０１６７】
ステップＳ１１２において、検出部１２４は、測定したシャトル電圧の値が0.4V未満であるか否かを判定する。
【０１６８】
ステップＳ１１２において、シャトル電圧の値が0.4V未満であると判定された場合、すなわち、シャトル３７の位置がポジションＧである場合、ステップＳ１１３に進み、撮影制御部１２１（図３）は、ズーム速度１秒で望遠ズーム処理を行い、処理は図８のステップＳ４７に進む。
【０１６９】
例えば、撮影制御部１２１は撮影部５１（図２）を制御して、焦点距離がより長くなるようにレンズを移動させることによって望遠ズーム処理を行う。このとき、シャトル３７の位置がポジションＧで維持されるように、ユーザがシャトル３７を操作（固定）すると、撮影制御部１２１は、レンズの焦点距離が、予め定められた最長の焦点距離（いわゆるテレ端）となるまで望遠ズーム処理を継続して行う。
【０１７０】
また、ステップＳ１１２において、シャトル電圧の値が0.4V未満でないと判定された場合、ステップＳ１１４に進み、検出部１２４は、シャトル電圧の値が0.4V以上1.2V未満であるか否かを判定する。
【０１７１】
ステップＳ１１４において、シャトル電圧の値が0.4V以上1.2V未満であると判定された場合、すなわち、シャトル３７の位置がポジションＦである場合、ステップＳ１１５に進み、撮影制御部１２１は、ズーム速度３秒で望遠ズーム処理を行い、処理は図８のステップＳ４７に進む。
【０１７２】
このとき、例えば、ユーザが、シャトル３７の位置がポジションＧからポジションＦとなるように、シャトル３７を操作すると、撮影制御部１２１は、望遠ズーム処理におけるズーム速度が１秒から３秒となるようにズーム速度を変化させる。
【０１７３】
ステップＳ１１４において、シャトル電圧の値が0.4V以上1.2V未満でないと判定された場合、ステップＳ１１６に進み、検出部１２４は、シャトル電圧の値が1.2V以上1.7V未満であるか否かを判定する。
【０１７４】
ステップＳ１１６において、シャトル電圧の値が1.2V以上1.7V未満であると判定された場合、すなわち、シャトル３７の位置がポジションＥである場合、ステップＳ１１７に進み、撮影制御部１２１は、ズーム速度６秒で望遠ズーム処理を行い、処理は図８のステップＳ４７に進む。
【０１７５】
また、ステップＳ１１６において、シャトル電圧の値が1.2V以上1.7V未満でないと判定された場合、ステップＳ１１８に進み、検出部１２４は、シャトル電圧の値が1.7V以上2.1V未満であるか否かを判定する。
【０１７６】
ステップＳ１１８において、シャトル電圧の値が1.7V以上2.1V未満であると判定された場合、すなわち、シャトル３７の位置がポジションＤである場合、処理は図８のステップＳ４７に進む。
【０１７７】
なお、シャトル３７が操作されて、望遠ズーム処理または広角ズーム処理が行われているときに、シャトル３７の位置がポジションＤとなるようにシャトル３７が操作されると、撮影制御部１２１は、望遠ズーム処理または広角ズーム処理を終了させて、図８のステップＳ４７に進む。
【０１７８】
これに対して、ステップＳ１１８において、シャトル電圧の値が1.7V以上2.1V未満でないと判定された場合、ステップＳ１１９に進み、検出部１２４は、シャトル電圧の値が2.1V以上2.6V未満であるか否かを判定する。
【０１７９】
ステップＳ１１９において、シャトル電圧の値が2.1V以上2.6V未満であると判定された場合、すなわち、シャトル３７の位置がポジションＣである場合、ステップＳ１２０に進み、撮影制御部１２１は、ズーム速度６秒で広角ズーム処理を行い、処理は図８のステップＳ４７に進む。
【０１８０】
例えば、撮影制御部１２１は撮影部５１を制御して、焦点距離がより短くなるようにレンズを移動させることによって広角ズーム処理を行う。このとき、シャトル３７の位置がポジションＣで維持されるように、ユーザがシャトル３７を操作（固定）すると、撮影制御部１２１は、レンズの焦点距離が、予め定められた最小の焦点距離（いわゆるワイド端）となるまで広角ズーム処理を継続して行う。
【０１８１】
また、ステップＳ１１９において、シャトル電圧の値が2.1V以上2.6V未満でないと判定された場合、ステップＳ１２１に進み、検出部１２４は、シャトル電圧の値が2.6V以上3.2V未満であるか否かを判定する。
【０１８２】
ステップＳ１２１において、シャトル電圧の値が2.6V以上3.2V未満であると判定された場合、すなわち、シャトル３７の位置がポジションＢである場合、ステップＳ１２２に進み、撮影制御部１２１は、ズーム速度３秒で広角ズーム処理を行い、処理は図８のステップＳ４７に進む。
【０１８３】
ステップＳ１２１において、シャトル電圧の値が2.6V以上3.2V未満でないと判定された場合、すなわち、シャトル３７の位置がポジションＡである場合、ステップＳ１２３に進み、撮影制御部１２１は、ズーム速度１秒で広角ズーム処理を行い、処理は図８のステップＳ４７に進む。
【０１８４】
このようにして、制御部６０は、動画像の撮影中に、シャトル３７が操作されて回動されると、シャトル３７が回動された方向、および回動された角度に応じて、ズーム速度を変化させてズーム処理を行う。したがって、例えば、シャトル３７の位置が、ポジションＡ、ポジションＢ、およびポジションＣと変化するように、ユーザがシャトル３７を操作すると、ユーザは、画像処理装置１１に、シャトル３７の位置（回動された角度）に応じて、ズーム速度を段階的に変化させてズーム処理を行わせることができる。
【０１８５】
このように、シャトル３７が回動された方向、および回動された角度に応じて、ズーム速度を変化させてズーム処理を行うことによって、ユーザは、シャトル３７を回動させるという簡単な操作で、ズーム速度を段階的に変化させてズーム処理を行わせることができる。これにより、ユーザは、より簡単に撮影する画像の画角を調整することができる。
【０１８６】
また、ユーザがモード切替ボタン３１（図１）を操作して、再生モードを選択し、図７のステップＳ１２の処理において、記録モードでないと判定されると、画像を再生する再生処理が行われる。以下、図１４のフローチャートを参照して、図７のステップＳ１４の処理に対応する再生処理を説明する。
【０１８７】
ステップＳ１５１において、判定部１２２（図３）は、一覧表示画面が表示されているか否かを判定する。例えば、ユーザが入力部６１を操作して、画像を選択するためのサムネイル画像の一覧である一覧表示画面の表示を指示すると、再生制御部１２５（図３）は、入力部６１からの入力信号に応じて、内部記録部５９またはリムーバブルメディア９１に記録されている画像ファイルに含まれているサムネイル画像データを取得し、取得したサムネイル画像データを基に、一覧表示画面を表示させるための画像データを生成する。再生制御部１２５は、一覧表示画面を表示させるための画像データを、出力部５７の表示部３４に供給して、一覧表示画面を表示させる。判定部１２２は、このような一覧表示画面が表示部３４に表示されている場合、一覧表示画面が表示されていると判定する。
【０１８８】
ステップＳ１５１において、一覧表示画面が表示されていると判定された場合、ステップＳ１５２に進み、制御部６０（図３）は、サムネイル画像の選択処理を行う。なお、サムネイル画像の選択処理の詳細は後述するが、サムネイル画像の選択処理において、制御部６０は、シャトル３７が回動された角度に応じた速度で、一覧表示画面上に表示されているカーソルを移動させて、サムネイル画像を選択する。
【０１８９】
ステップＳ１５３において、制御部６０は、ユーザの操作に応じた処理を行い、処理は図７のステップＳ１５に進む。例えば、ユーザが入力部６１を操作して、一覧表示画面上のカーソルにより選択されているサムネイル画像によって特定される画像の表示を指示すると、再生制御部１２５は、圧縮伸張処理部５８に、ユーザによって表示が指示された画像の画像ファイルを、内部記録部５９またはリムーバブルメディア９１から取得させる。そして、再生制御部１２５は、圧縮伸張処理部５８に、取得させた画像ファイルに含まれている画像データを必要に応じて伸張させ、出力部５７の表示部３４に供給させて、表示部３４に画像を表示させる。
【０１９０】
また、ステップＳ１５１において、一覧表示画面が表示されていないと判定された場合、ステップＳ１５４に進み、判定部１２２は、静止画像の再生中であるか否かを判定する。例えば、ユーザによって、一覧表示画面上に表示されたサムネイル画像が選択され、選択されたサムネイル画像により特定される静止画像が表示部３４に表示されている場合、判定部１２２は、静止画像の再生中であると判定する。
【０１９１】
ステップＳ１５４において、静止画像の再生中であると判定された場合、ステップＳ１５５に進み、制御部６０は、静止画像の選択処理を行う。なお、静止画像の選択処理の詳細は後述するが、静止画像の選択処理において、制御部６０は、シャトル３７が回動された角度に応じた速度で、静止画像を選択する速度を変化させて、選択された静止画像を表示させる。
【０１９２】
ステップＳ１５６において、制御部６０は、ユーザの操作に応じた処理を行い、処理は図７のステップＳ１５に進む。例えば、ユーザが入力部６１を操作して、静止画像の再生の終了を指示すると、再生制御部１２５は、入力部６１からの入力信号に応じて、圧縮伸張処理部５８に、表示部３４への静止画像データの供給を終了させて、静止画像の再生を終了させる。
【０１９３】
また、ステップＳ１５４において、静止画像の再生中でないと判定された場合、ステップＳ１５７に進み、制御部６０は、動画像の再生処理を行い、処理は図７のステップＳ１５に進む。なお、動画像の再生処理の詳細は後述するが、動画像の再生処理において、制御部６０は、ユーザの操作に応じて動画像ファイルを基に動画像を再生させる。
【０１９４】
このようにして、画像処理装置１１は、ユーザの操作に応じて、画像の再生を行う。そして、画像の再生中、または一覧表示画面が表示されているときにシャトル３７が操作されると、画像処理装置１１は、シャトル３７が回動された角度に応じた処理を行う。
【０１９５】
次に、図１５のフローチャートを参照して、図１４のステップＳ１５２の処理に対応するサムネイル画像の選択処理について説明する。
【０１９６】
ステップＳ１９１において、検出部１２４（図３）は、入力部６１から供給された、シャトル３７（図４）が回動された角度を示す電圧信号の値（シャトル電圧の値）を測定する。
【０１９７】
ステップＳ１９２において、検出部１２４は、測定したシャトル電圧の値が0.4V未満であるか否かを判定する。
【０１９８】
ステップＳ１９２において、シャトル電圧の値が0.4V未満であると判定された場合、すなわち、シャトル３７の位置がポジションＧである場合、ステップＳ１９３に進み、再生制御部１２５（図３）は、表示部３４の一覧表示画面上に表示されているカーソルを次のサムネイル画像に移動させる。換言すれば、再生制御部１２５は、表示部３４の一覧表示画面上に表示されているカーソルを移動させて、次のサムネイル画像を選択する。
【０１９９】
ステップＳ１９４において、再生制御部１２５は、カーソルを移動させてから次の処理を受け付けるまで、120msecだけ待機して、処理は図１４のステップＳ１５３に進む。
【０２００】
ここで、例えば、表示部３４には、図１６Ａに示す一覧表示画面が表示される。図１６Ａでは、一覧表示画面３０１には、サムネイル画像３０２−１乃至サムネイル画像３０２−９が表示されている。
【０２０１】
また、サムネイル画像３０２−１乃至サムネイル画像３０２−９のそれぞれは順序付けらており、例えば、対応する画像ファイルが記録されている順番や、画像ファイルの撮影日時の順番に並べられて表示される。例えば、サムネイル画像３０２−１乃至サムネイル画像３０２−９のそれぞれは、サムネイル画像３０２−１乃至サムネイル画像３０２−９の順番で順序付けられて並べられており、サムネイル画像３０２−２の前のサムネイル画像は、サムネイル画像３０２−１とされ、サムネイル画像３０２−２の次のサムネイル画像は、サムネイル画像３０２−３とされる。以下、サムネイル画像３０２−１乃至サムネイル画像３０２−９のそれぞれを個々に区別する必要のない場合、単にサムネイル画像３０２と称する。
【０２０２】
一覧表示画面３０１には、また、サムネイル画像３０２を選択するためのカーソル３０３が表示されており、図１６Ａでは、カーソル３０３によりサムネイル画像３０２−８が選択されている。シャトル３７（図４）がポジションＥ乃至ポジションＧのいずれかの位置となるように操作されると、カーソル３０３は、現在選択されているサムネイル画像３０２から次のサムネイル画像３０２に移動する。
【０２０３】
したがって、例えば、カーソル３０３によりサムネイル画像３０２−８が選択されている状態において、シャトル３７がポジションＥ乃至ポジションＧのいずれかの位置となるように操作されると、図１６Ｂに示すように、カーソル３０３は、サムネイル画像３０２−８からサムネイル画像３０２−９に移動する。
【０２０４】
また、シャトル３７の位置がポジションＥである場合、カーソル３０３は、400msecの速度で移動し、ポジションＦである場合、カーソル３０３は、250msecの速度で移動し、ポジションＧである場合、カーソル３０３は、120msecの速度で移動する。
【０２０５】
同様に、シャトル３７がポジションＡ乃至ポジションＣのいずれかの位置となるように操作されると、カーソル３０３は、現在選択されているサムネイル画像３０２から前のサムネイル画像３０２に移動する。また、シャトル３７の位置がポジションＣである場合、カーソル３０３は、400msecの速度で移動し、ポジションＢである場合、カーソル３０３は、250msecの速度で移動し、ポジションＡである場合、カーソル３０３は、120msecの速度で移動する。したがって、例えば、ユーザは、シャトル３７の位置を移動させることによって、カーソル３０３が移動する速度（サムネイル画像３０２が選択されるまでの時間）を段階的に変化させながら、サムネイル画像３０２を選択することができる。
【０２０６】
さらに、カーソル３０３によってサムネイル画像３０２−９が選択されている状態において、シャトル３７がポジションＥ乃至ポジションＧのいずれかの位置となるように操作されると、図１７に示すように、カーソル３０３は、次のページのサムネイル画像を選択するように移動する。なお、図１７（図１７Ａおよび図１７Ｂ）において図１６における場合と対応する部分には同一の符号を付してあり、その説明は適宜省略する。
【０２０７】
図１７Ａでは、サムネイル画像３０２およびサムネイル画像３２１−１乃至サムネイル画像３２１−９が、サムネイル画像３０２−１乃至サムネイル画像３０２−９、およびサムネイル画像３２１−１乃至サムネイル画像３２１−９の順番で順序付けられている。サムネイル画像３０２は、一覧表示画面３０１の１つのページに、サムネイル画像３０２−１乃至サムネイル画像３０２−９の順番に並べられて表示され、サムネイル画像３２１−１乃至サムネイル画像３２１−９は、サムネイル画像３０２が表示されるページの次のページに、画像３２１−１乃至サムネイル画像３２１−９の順番に並べられて表示される。
【０２０８】
なお、以下、サムネイル画像３２１−１乃至サムネイル画像３２１−９のそれぞれを、個々に区別する必要のない場合、単にサムネイル画像３２１と称する。
【０２０９】
図１７Ａでは、サムネイル画像３０２が順番に並べられた一覧表示画面３０１が表示されており、サムネイル画像３０２が表示されているページの次のページである、サムネイル画像３２１が表示されるページは、点線で表されている。
【０２１０】
また、一覧表示画面３０１では、カーソル３０３によってサムネイル画像３０２−９が選択されており、この状態において、シャトル３７がポジションＥ乃至ポジションＧのいずれかの位置となるように操作されると、カーソル３０３は、図１７Ｂに示すように、サムネイル画像３０２−９から、サムネイル画像３０２−９の次のサムネイル画像であるサムネイル画像３２１−１に移動する。
【０２１１】
そして、カーソル３０３が、サムネイル画像３２１−１に移動すると、一覧表示画面３０１の表示が切り替わり、サムネイル画像３２１が順番に並べられたページが表示される。図１７Ｂでは、サムネイル画像３２１が順番に並べられた一覧表示画面３０１が表示されており、サムネイル画像３２１が表示されているページの前のページである、サムネイル画像３０２が表示されるページは、点線で表されている。
【０２１２】
同様に、カーソル３０３によってサムネイル画像３２１−１が選択されている状態において、シャトル３７がポジションＡ乃至ポジションＣのいずれかの位置となるように操作されると、カーソル３０３は、サムネイル画像３２１−１から、サムネイル画像３２１−１の前のサムネイル画像であるサムネイル画像３０２−９に移動する。そして、表示部３４には、サムネイル画像３０２が順番に並べられた一覧表示画面３０１が表示される。
【０２１３】
なお、一覧表示画面３０１に表示されるサムネイル画像は、静止画像のサムネイル画像であってもよいし、動画像のサムネイル画像であってもよい。例えば、一覧表示画面３０１に、静止画像のサムネイル画像だけが表示されるようにしてもよく、動画像のサムネイル画像だけが表示されるようにしてもよい。さらに、一覧表示画面３０１に、静止画像のサムネイル画像、および動画像のサムネイル画像の両方が表示されるようにしてもよい。
【０２１４】
図１５のフローチャートの説明に戻り、ステップＳ１９２において、シャトル電圧の値が0.4V未満でないと判定された場合、ステップＳ１９５に進み、検出部１２４は、シャトル電圧の値が0.4V以上1.2V未満であるか否かを判定する。
【０２１５】
ステップＳ１９５において、シャトル電圧の値が0.4V以上1.2V未満であると判定された場合、すなわち、シャトル３７の位置がポジションＦである場合、ステップＳ１９６に進み、再生制御部１２５は、表示部３４の一覧表示画面３０１上に表示されているカーソル３０３を次のサムネイル画像に移動させる（次のサムネイル画像を選択する）。
【０２１６】
ステップＳ１９７において、再生制御部１２５は、カーソル３０３を移動させてから次の処理を受け付けるまで、250msecだけ待機して、処理は図１４のステップＳ１５３に進む。
【０２１７】
ステップＳ１９５において、シャトル電圧の値が0.4V以上1.2V未満でないと判定された場合、ステップＳ１９８に進み、検出部１２４は、シャトル電圧の値が1.2V以上1.7V未満であるか否かを判定する。
【０２１８】
ステップＳ１９８において、シャトル電圧の値が1.2V以上1.7V未満であると判定された場合、すなわち、シャトル３７の位置がポジションＥである場合、ステップＳ１９９に進み、再生制御部１２５は、表示部３４の一覧表示画面３０１上に表示されているカーソル３０３を次のサムネイル画像に移動させる。
【０２１９】
ステップＳ２００において、再生制御部１２５は、カーソル３０３を移動させてから次の処理を受け付けるまで、400msecだけ待機して、処理は図１４のステップＳ１５３に進む。
【０２２０】
また、ステップＳ１９８において、シャトル電圧の値が1.2V以上1.7V未満でないと判定された場合、ステップＳ２０１に進み、検出部１２４は、シャトル電圧の値が1.7V以上2.1V未満であるか否かを判定する。
【０２２１】
ステップＳ２０１において、シャトル電圧の値が1.7V以上2.1V未満であると判定された場合、すなわち、シャトル３７の位置がポジションＤである場合、シャトル３７は操作されていないので、処理は図１４のステップＳ１５３に進む。
【０２２２】
これに対して、ステップＳ２０１において、シャトル電圧の値が1.7V以上2.1V未満でないと判定された場合、ステップＳ２０２に進み、検出部１２４は、シャトル電圧の値が2.1V以上2.6V未満であるか否かを判定する。
【０２２３】
ステップＳ２０２において、シャトル電圧の値が2.1V以上2.6V未満であると判定された場合、すなわち、シャトル３７の位置がポジションＣである場合、ステップＳ２０３に進み、再生制御部１２５は、表示部３４の一覧表示画面３０１上に表示されているカーソル３０３を前のサムネイル画像に移動させる。換言すれば、再生制御部１２５は、表示部３４の一覧表示画面３０１上に表示されているカーソル３０３を移動させて、前のサムネイル画像を選択する。
【０２２４】
ステップＳ２０４において、再生制御部１２５は、カーソル３０３を移動させてから次の処理を受け付けるまで、400msecだけ待機して、処理は図１４のステップＳ１５３に進む。
【０２２５】
また、ステップＳ２０２において、シャトル電圧の値が2.1V以上2.6V未満でないと判定された場合、ステップＳ２０５に進み、検出部１２４は、シャトル電圧の値が2.6V以上3.2V未満であるか否かを判定する。
【０２２６】
ステップＳ２０５において、シャトル電圧の値が2.6V以上3.2V未満であると判定された場合、すなわち、シャトル３７の位置がポジションＢである場合、ステップＳ２０６に進み、再生制御部１２５は、表示部３４の一覧表示画面３０１上に表示されているカーソル３０３を前のサムネイル画像に移動させる（前のサムネイル画像を選択する）。
【０２２７】
ステップＳ２０７において、再生制御部１２５は、カーソル３０３を移動させてから次の処理を受け付けるまで、250msecだけ待機して、処理は図１４のステップＳ１５３に進む。
【０２２８】
ステップＳ２０５において、シャトル電圧の値が2.6V以上3.2V未満でないと判定された場合、すなわち、シャトル３７の位置がポジションＡである場合、ステップＳ２０８に進み、再生制御部１２５は、表示部３４の一覧表示画面３０１上に表示されているカーソル３０３を前のサムネイル画像に移動させる。
【０２２９】
ステップＳ２０９において、再生制御部１２５は、カーソル３０３を移動させてから次の処理を受け付けるまで、120msecだけ待機して、処理は図１４のステップＳ１５３に進む。このように、シャトル３７が回動された角度（シャトル３７の位置）に応じて、カーソル３０３を移動させて、次または前のサムネイル画像を選択してから、次の処理を受け付けるまで待機する時間を段階的に変化させるので、カーソル３０３が移動する速度も段階的に変化する。
【０２３０】
以上のようにして、制御部６０は、一覧表示画面３０１が表示されているときに、シャトル３７が操作されて回動されると、シャトル３７が回動された方向に応じて、一覧表示画面３０１上に表示されているカーソル３０３を、回動された角度に応じた速度で移動させて、サムネイル画像を選択する。したがって、例えば、シャトル３７の位置が、ポジションＡ、ポジションＢ、およびポジションＣと変化するように、ユーザがシャトル３７を操作すると、ユーザは、画像処理装置１１に、シャトル３７の位置（回動された角度）に応じて、カーソル３０３を移動させる速度を段階的に変化させてサムネイル画像を選択することができる。
【０２３１】
このように、シャトル３７が回動された角度に応じて、カーソル３０３が移動する速度を変化させてサムネイル画像を選択することによって、ユーザは、シャトル３７を回動させるという簡単な操作で、その時の状況に応じて、カーソル３０３を移動させる速度（サムネイル画像が選択されるまでの時間）を調節して（変化させて）、より迅速に所望する画像（サムネイル画像）を選択することができる。
【０２３２】
例えば、ユーザが一覧表示画面３０１上のサムネイル画像を見ながら、カーソル３０３を移動させて、所望するサムネイル画像（画像）を選択する場合に、一覧表示画面３０１上にユーザが所望するサムネイル画像が表示されていないときには、より速く次のページに表示が切り替わるように、ユーザはシャトル３７の位置がポジションＧとなるように、シャトル３７を操作して、カーソル３０３をより速い速度で移動させる。そして、一覧表示画面３０１上にユーザが所望するサムネイル画像が表示されると、より確実に所望するサムネイル画像を選択することができるように、ユーザはシャトル３７の位置がポジションＧからポジションＥとなるように、シャトル３７を操作して、カーソル３０３をより遅い速度で移動させて、所望するサムネイル画像を選択する。このようにすることで、ユーザは、より簡単な操作で、所望するサムネイル画像（画像）をより迅速に選択することができる。
【０２３３】
次に、図１８のフローチャートを参照して、図１４のステップＳ１５５の処理に対応する静止画像の選択処理について説明する。この静止画像の選択処理は、静止画像が選択され、表示部３４に静止画像が表示されているときに行われる。
【０２３４】
ステップＳ２４１において、検出部１２４（図３）は、入力部６１から供給された、シャトル３７（図４）が回動された角度を示す電圧信号の値（シャトル電圧の値）を測定する。
【０２３５】
ステップＳ２４２において、検出部１２４は、測定したシャトル電圧の値が0.4V未満であるか否かを判定する。
【０２３６】
ステップＳ２４２において、シャトル電圧の値が0.4V未満であると判定された場合、すなわち、シャトル３７の位置がポジションＧである場合、ステップＳ２４３に進み、再生制御部１２５（図３）は、表示部３４に表示されている静止画像の次の静止画像の表示を制御する。
【０２３７】
例えば、表示部３４に、図１１の静止画像ファイル２５６−３に基づく静止画像が表示されており、静止画像２５６が、静止画像２５６−７乃至静止画像２５６−１の順番に表示されるように順序付けられている場合、再生制御部１２５は、静止画像ファイル２５６−３に基づく静止画像の次の静止画像として、静止画像ファイル２５６−２に基づく静止画像を選択し、圧縮伸張処理部５８（図２）に、静止画像ファイル２５６−２を取得させて、静止画像ファイル２５６−２に基づく静止画像を表示させる。
【０２３８】
圧縮伸張処理部５８は、再生制御部１２５の制御の基に、リムーバブルメディア９１から静止画像ファイル２５６−２を取得する。圧縮伸張処理部５８は、取得した静止画像ファイル２５６−２に含まれている静止画像データを必要に応じて伸張し、表示部３４に供給して静止画像を表示させる。
【０２３９】
ステップＳ２４４において、再生制御部１２５は、静止画像を表示させてから次の処理を受け付けるまで、120msecだけ待機して、処理は図１４のステップＳ１５６に進む。
【０２４０】
また、ステップＳ２４２において、シャトル電圧の値が0.4V未満でないと判定された場合、ステップＳ２４５に進み、検出部１２４は、シャトル電圧の値が0.4V以上1.2V未満であるか否かを判定する。
【０２４１】
ステップＳ２４５において、シャトル電圧の値が0.4V以上1.2V未満であると判定された場合、すなわち、シャトル３７の位置がポジションＦである場合、ステップＳ２４６に進み、再生制御部１２５は、表示部３４に表示されている静止画像の次の静止画像の表示を制御する。例えば、表示部３４に、図１１に示した静止画像ファイル２５６−４に基づく静止画像が表示されており、静止画像２５６が、静止画像２５６−７乃至静止画像２５６−１の順番に表示されるように順序付けられている場合、再生制御部１２５は、静止画像ファイル２５６−４に基づく静止画像の次の静止画像として、静止画像ファイル２５６−３に基づく静止画像を選択し、圧縮伸張処理部５８を制御して、静止画像ファイル２５６−３に基づく静止画像を表示部３４に表示させる。
【０２４２】
ステップＳ２４７において、再生制御部１２５は、静止画像を表示させてから次の処理を受け付けるまで、250msecだけ待機して、処理は図１４のステップＳ１５６に進む。
【０２４３】
また、ステップＳ２４５において、シャトル電圧の値が0.4V以上1.2V未満でないと判定された場合、ステップＳ２４８に進み、検出部１２４は、シャトル電圧の値が1.2V以上1.7V未満であるか否かを判定する。
【０２４４】
ステップＳ２４８において、シャトル電圧の値が1.2V以上1.7V未満であると判定された場合、すなわち、シャトル３７の位置がポジションＥである場合、ステップＳ２４９に進み、再生制御部１２５は、表示部３４に表示されている静止画像の次の静止画像の表示を制御する。
【０２４５】
ステップＳ２５０において、再生制御部１２５は、静止画像を表示させてから次の処理を受け付けるまで、400msecだけ待機して、処理は図１４のステップＳ１５６に進む。
【０２４６】
また、ステップＳ２４８において、シャトル電圧の値が1.2V以上1.7V未満でないと判定された場合、ステップＳ２５１に進み、検出部１２４は、シャトル電圧の値が1.7V以上2.1V未満であるか否かを判定する。
【０２４７】
ステップＳ２５１において、シャトル電圧の値が1.7V以上2.1V未満であると判定された場合、すなわち、シャトル３７の位置がポジションＤである場合、シャトル３７は操作されていないので、処理は図１４のステップＳ１５６に進む。
【０２４８】
これに対して、ステップＳ２５１において、シャトル電圧の値が1.7V以上2.1V未満でないと判定された場合、ステップＳ２５２に進み、検出部１２４は、シャトル電圧の値が2.1V以上2.6V未満であるか否かを判定する。
【０２４９】
ステップＳ２５２において、シャトル電圧の値が2.1V以上2.6V未満であると判定された場合、すなわち、シャトル３７の位置がポジションＣである場合、ステップＳ２５３に進み、再生制御部１２５は、表示部３４に表示されている静止画像の前の静止画像の表示を制御する。例えば、表示部３４に、図１１に示した静止画像ファイル２５６−４に基づく静止画像が表示されており、静止画像２５６が、静止画像２５６−７乃至静止画像２５６−１の順番に表示されるように順序付けられている場合、再生制御部１２５は、静止画像ファイル２５６−４に基づく静止画像の前の静止画像として、静止画像ファイル２５６−５に基づく静止画像を選択し、圧縮伸張処理部５８を制御して、静止画像ファイル２５６−５に基づく静止画像を表示部３４に表示させる。
【０２５０】
ステップＳ２５４において、再生制御部１２５は、静止画像を表示させてから次の処理を受け付けるまで、400msecだけ待機して、処理は図１４のステップＳ１５６に進む。
【０２５１】
また、ステップＳ２５２において、シャトル電圧の値が2.1V以上2.6V未満でないと判定された場合、ステップＳ２５５に進み、検出部１２４は、シャトル電圧の値が2.6V以上3.2V未満であるか否かを判定する。
【０２５２】
ステップＳ２５５において、シャトル電圧の値が2.6V以上3.2V未満であると判定された場合、すなわち、シャトル３７の位置がポジションＢである場合、ステップＳ２５６に進み、再生制御部１２５は、表示部３４に表示されている静止画像の前の静止画像の表示を制御する。
【０２５３】
ステップＳ２５７において、再生制御部１２５は、静止画像を表示させてから次の処理を受け付けるまで、250msecだけ待機して、処理は図１４のステップＳ１５６に進む。
【０２５４】
ステップＳ２５５において、シャトル電圧の値が2.6V以上3.2V未満でないと判定された場合、すなわち、シャトル３７の位置がポジションＡである場合、ステップＳ２５８に進み、再生制御部１２５は、表示部３４に表示されている静止画像の前の静止画像の表示を制御する。
【０２５５】
ステップＳ２５９において、再生制御部１２５は、静止画像を表示させてから次の処理を受け付けるまで、120msecだけ待機して、処理は図１４のステップＳ１５６に進む。
【０２５６】
このように、表示されている静止画像の次または前の静止画像を表示させて、静止画像が表示されてから（選択されてから）、次の処理を受け付けるまで待機する時間を、シャトル３７が回動された角度（シャトル３７の位置）に応じて、段階的に変化させるようにしたので、表示部３４に表示されている静止画像の表示が切り替わる速度（静止画像が表示されるまでの時間）も段階的に変化する。
【０２５７】
例えば、表示部３４に静止画像が表示されている状態において、シャトル３７の位置がポジションＧで維持されるように、ユーザがシャトル３７を操作（固定）すると、表示部３４に表示されている静止画像は、120msecごとに、次の静止画像へと表示が切り替わる。すなわち、表示部３４には、120msecの間隔で静止画像が１枚ずつ順番に表示される。また、このとき、ユーザが、シャトル３４の位置が変化するようにシャトル３７を操作する（回動させる）と、静止画像の表示が切り替わる時間の間隔は、操作された後のシャトル３７の位置に応じて変化する。
【０２５８】
以上のようにして、制御部６０は、表示部３４に静止画像が表示されているときに、シャトル３７が操作されて回動されると、シャトル３７が回動された角度に応じた速度で、表示されている次または前の静止画像を表示させる。したがって、例えば、シャトル３７の位置が、ポジションＡ、ポジションＢ、およびポジションＣと変化するように、ユーザがシャトル３７を操作すると、ユーザは、画像処理装置１１に、シャトル３７の位置（回動された角度）に応じて、表示を切り替える速度を段階的に変化させて静止画像を表示させることができる。
【０２５９】
このように、シャトル３７が回動された角度に応じて、表示を切り替える速度を変化させて静止画像を選択することによって、ユーザは、シャトル３７を回動させるという簡単な操作で、その時の状況に応じて、表示を切り替える速度を調節して（変化させて）、より迅速に所望する画像（静止画像）を選択して表示させることができる。
【０２６０】
次に、図１９のフローチャートを参照して、図１４のステップＳ１５７の処理に対応する動画像の再生処理について説明する。
【０２６１】
ステップＳ２９１において、判定部１２２（図３）は動画像の先頭画像が表示されているか否かを判定する。例えば、ユーザが入力部６１を操作して、所定の動画像を選択すると、表示部３４には、選択された動画像の先頭画像が表示される。判定部１２２は、この先頭画像が表示部３４に表示されている場合、先頭画像が表示されていると判定する。
【０２６２】
ステップＳ２９１において、先頭画像が表示されていると判定された場合、ステップＳ２９２に進み、制御部６０（図３）は、動画像の選択処理を行う。なお、動画像の選択処理の詳細は後述するが、動画像の選択処理において、制御部６０は、シャトル３７が回動された角度に応じた速度で、表示部３４に表示されている先頭画像により示される動画像の次、または前の動画像を選択して、その動画像の先頭画像を表示させる。
【０２６３】
ステップＳ２９３において、制御部６０は、ユーザの操作に応じた処理を行い、処理は図７のステップＳ１５に進む。例えば、ユーザが入力部６１を操作して、表示部３４に表示されている先頭画像により示される動画像の再生を指示すると、再生制御部１２５は、圧縮伸張処理部５８に、ユーザによって再生が指示された動画像の動画像ファイルを、内部記録部５９またはリムーバブルメディア９１から取得させる。そして、再生制御部１２５は、圧縮伸張処理部５８に、取得した動画像ファイルに含まれている動画像データおよび音声データを必要に応じて伸張させ、出力部５７に供給させて動画像を再生させる。
【０２６４】
また、ステップＳ２９１において、先頭画像が表示されていないと判定された場合、ステップＳ２９４に進み、判定部１２２は、動画像が一時停止中であるか否かを判定する。
【０２６５】
ステップＳ２９４において、動画像が一時停止中であると判定された場合、ステップＳ２９５に進み、制御部６０は、一時停止中における変速再生処理を行う。なお、一時停止中における変速再生処理の詳細は後述するが、一時停止中における変速再生処理において、制御部６０は、シャトル３７が回動された角度に応じた再生速度で、動画像を再生させる。
【０２６６】
ステップＳ２９６において、制御部６０は、ユーザの操作に応じた処理を行い、処理は図７のステップＳ１５に進む。例えば、ユーザが入力部６１を操作して、動画像の再生の終了を指示すると、再生制御部１２５は、入力部６１からの入力信号に応じて、圧縮伸張処理部５８に、出力部５７への動画像データおよび音声データの供給を終了させて、動画像の再生を終了させる。
【０２６７】
また、ステップＳ２９４において、動画像が一時停止中でないと判定された場合、ステップＳ２９７に進み、判定部１２２は、動画像の再生中であるか否かを判定する。なお、スッテプＳ２９７においては、動画像が通常の再生速度で再生されている場合、動画像が早送り再生されている場合、または動画像が巻き戻し再生されている場合に、動画像の再生中であると判定される。
【０２６８】
ステップＳ２９７において、動画像の再生中であると判定された場合、ステップＳ２９８に進み、制御部６０は、再生中における変速再生処理を行う。なお、再生中における変速再生処理の詳細は後述するが、再生中における変速再生処理において、制御部６０は、シャトル３７が回動された角度に応じて、動画像の再生速度を変化させる。
【０２６９】
ステップＳ２９９において、制御部６０は、ユーザの操作に応じた処理を行い、処理は図７のステップＳ１５に進む。例えば、ユーザが入力部６１を操作して、動画像の一時停止を指示すると、再生制御部１２５は、入力部６１からの入力信号に応じて、圧縮伸張処理部５８に、出力部５７への動画像データおよび音声データの供給を一時的に停止させて、動画像の再生を一時停止させる。
【０２７０】
また、ステップＳ２９７において、動画像の再生中でないと判定された場合、ステップＳ３００に進み、制御部６０は、ユーザの操作に応じた処理を行い、処理は図７のステップＳ１５に進む。
【０２７１】
このようにして、画像処理装置１１は、ユーザの操作に応じて、動画像の再生を行う。そして、動画像の再生中、動画像の一時停止中、または動画像の先頭画像が表示されているときにシャトル３７が操作されると、シャトル３７が回動された角度に応じた処理を行う。
【０２７２】
次に、図２０のフローチャートを参照して、図１９のステップＳ２９２の処理に対応する動画像の選択処理について説明する。この動画像の選択処理は、表示部３４に動画像の先頭画像が表示されているときに行われる。
【０２７３】
ステップＳ３３１において、検出部１２４（図３）は、入力部６１から供給された、シャトル３７（図４）が回動された角度を示す電圧信号の値（シャトル電圧の値）を測定する。
【０２７４】
ステップＳ３３２において、検出部１２４は、測定したシャトル電圧の値が0.4V未満であるか否かを判定する。
【０２７５】
ステップＳ３３２において、シャトル電圧の値が0.4V未満であると判定された場合、すなわち、シャトル３７の位置がポジションＧである場合、ステップＳ３３３に進み、再生制御部１２５（図３）は、表示部３４に表示されている先頭画像の次の先頭画像の表示を制御する。
【０２７６】
例えば、表示部３４に、図１１の動画像ファイル２５４−２に基づく動画像の先頭画像が表示されており、動画像２５４が、動画像２５４−２および動画像２５４−１の順番に表示されるように順序付けられている場合、再生制御部１２５は、圧縮伸張処理部５８（図２）に、動画像ファイル２５４−２の次の動画像ファイル２５４−１を取得させて、動画像ファイル２５４−１に基づく動画像の先頭画像を、現在表示されている先頭画像の次の先頭画像として表示させる。
【０２７７】
圧縮伸張処理部５８は、再生制御部１２５の制御の基に、リムーバブルメディア９１から動画像ファイル２５４−１を取得する。圧縮伸張処理部５８は、取得した動画像ファイル２５４−１に含まれている動画像データを必要に応じて伸張し、表示部３４に供給して先頭画像を表示させる。
【０２７８】
ステップＳ３３４において、再生制御部１２５は、先頭画像を表示させてから次の処理を受け付けるまで、120msecだけ待機して、処理は図１９のステップＳ２９３に進む。
【０２７９】
また、ステップＳ３３２において、シャトル電圧の値が0.4V未満でないと判定された場合、ステップＳ３３５に進み、検出部１２４は、シャトル電圧の値が0.4V以上1.2V未満であるか否かを判定する。
【０２８０】
ステップＳ３３５において、シャトル電圧の値が0.4V以上1.2V未満であると判定された場合、すなわち、シャトル３７の位置がポジションＦである場合、ステップＳ３３６に進み、再生制御部１２５は、表示部３４に表示されている先頭画像の次の先頭画像の表示を制御する。
【０２８１】
ステップＳ３３７において、再生制御部１２５は、先頭画像を表示させてから次の処理を受け付けるまで、250msecだけ待機して、処理は図１９のステップＳ２９３に進む。
【０２８２】
また、ステップＳ３３５において、シャトル電圧の値が0.4V以上1.2V未満でないと判定された場合、ステップＳ３３８に進み、検出部１２４は、シャトル電圧の値が1.2V以上1.7V未満であるか否かを判定する。
【０２８３】
ステップＳ３３８において、シャトル電圧の値が1.2V以上1.7V未満であると判定された場合、すなわち、シャトル３７の位置がポジションＥである場合、ステップＳ３３９に進み、再生制御部１２５は、表示部３４に表示されている先頭画像の次の先頭画像の表示を制御する。
【０２８４】
ステップＳ３４０において、再生制御部１２５は、先頭画像を表示させてから次の処理を受け付けるまで、400msecだけ待機して、処理は図１９のステップＳ２９３に進む。
【０２８５】
また、ステップＳ３３８において、シャトル電圧の値が1.2V以上1.7V未満でないと判定された場合、ステップＳ３４１に進み、検出部１２４は、シャトル電圧の値が1.7V以上2.1V未満であるか否かを判定する。
【０２８６】
ステップＳ３４１において、シャトル電圧の値が1.7V以上2.1V未満であると判定された場合、すなわち、シャトル３７の位置がポジションＤである場合、シャトル３７は操作されていないので、処理は図１９のステップＳ２９３に進む。
【０２８７】
これに対して、ステップＳ３４１において、シャトル電圧の値が1.7V以上2.1V未満でないと判定された場合、ステップＳ３４２に進み、検出部１２４は、シャトル電圧の値が2.1V以上2.6V未満であるか否かを判定する。
【０２８８】
ステップＳ３４２において、シャトル電圧の値が2.1V以上2.6V未満であると判定された場合、すなわち、シャトル３７の位置がポジションＣである場合、ステップＳ３４３に進み、再生制御部１２５は、表示部３４に表示されている先頭画像の前の先頭画像の表示を制御する。例えば、表示部３４に、図１１の動画像ファイル２５４−１に基づく動画像の先頭画像が表示されており、動画像２５４が、動画像２５４−２および動画像２５４−１の順番に表示されるように順序付けられている場合、再生制御部１２５は、圧縮伸張処理部５８に、動画像ファイル２５４−１の前の動画像ファイル２５４−２を取得させて、動画像ファイル２５４−２に基づく動画像の先頭画像を、現在表示されている先頭画像の前の先頭画像として表示させる。
【０２８９】
ステップＳ３４４において、再生制御部１２５は、先頭画像を表示させてから次の処理を受け付けるまで、400msecだけ待機して、処理は図１９のステップＳ２９３に進む。
【０２９０】
また、ステップＳ３４２において、シャトル電圧の値が2.1V以上2.6V未満でないと判定された場合、ステップＳ３４５に進み、検出部１２４は、シャトル電圧の値が2.6V以上3.2V未満であるか否かを判定する。
【０２９１】
ステップＳ３４５において、シャトル電圧の値が2.6V以上3.2V未満であると判定された場合、すなわち、シャトル３７の位置がポジションＢである場合、ステップＳ３４６に進み、再生制御部１２５は、表示部３４に表示されている先頭画像の前の先頭画像の表示を制御する。
【０２９２】
ステップＳ３４７において、再生制御部１２５は、先頭画像を表示させてから次の処理を受け付けるまで、250msecだけ待機して、処理は図１９のステップＳ２９３に進む。
【０２９３】
ステップＳ３４５において、シャトル電圧の値が2.6V以上3.2V未満でないと判定された場合、すなわち、シャトル３７の位置がポジションＡである場合、ステップＳ３４８に進み、再生制御部１２５は、表示部３４に表示されている先頭画像の前の先頭画像の表示を制御する。
【０２９４】
ステップＳ３４９において、再生制御部１２５は、先頭画像を表示させてから次の処理を受け付けるまで、120msecだけ待機して、処理は図１９のステップＳ２９３に進む。
【０２９５】
このようにして、制御部６０は、表示部３４に先頭画像が表示されているときに、シャトル３７が操作されて回動されると、シャトル３７が回動された角度に応じた速度で、表示されている次または前の先頭画像を表示させる。
【０２９６】
このように、シャトル３７が回動された角度に応じて、表示を切り替える速度を変化させ、先頭画像を選択して表示させることによって、ユーザは、シャトル３７を回動させるという簡単な操作で、その時の状況に応じて、表示を切り替える速度を調節して（変化させて）、より迅速に所望する動画像（画像）を選択することができる。
【０２９７】
次に、図２１のフローチャートを参照して、図１９のステップＳ２９５の処理に対応する一時停止中における変速再生処理について説明する。この一時停止中における変速再生処理は、動画像の再生が一時停止されているときに行われる。
【０２９８】
ステップＳ３８１において、検出部１２４（図３）は、入力部６１から供給された、シャトル３７（図４）が回動された角度を示す電圧信号の値（シャトル電圧の値）を測定する。
【０２９９】
ステップＳ３８２において、検出部１２４は、測定したシャトル電圧の値が0.4V未満であるか否かを判定する。
【０３００】
ステップＳ３８２において、シャトル電圧の値が0.4V未満であると判定された場合、すなわち、シャトル３７の位置がポジションＧである場合、ステップＳ３８３に進み、再生制御部１２５（図３）は、動画像の１６倍速での早送り再生を制御し、ステップＳ３９５に進む。
【０３０１】
例えば、圧縮伸張処理部５８が、再生制御部１２５の制御の基に、動画像データおよび音声データの出力部５７への供給を一時的に停止している場合、圧縮伸張処理部５８は、再生制御部１２５の制御の基に、動画像データおよび音声データを出力部５７に供給して、１６倍速で動画像を早送り再生させる。
【０３０２】
また、ステップＳ３８２において、シャトル電圧の値が0.4V未満でないと判定された場合、ステップＳ３８４に進み、検出部１２４は、シャトル電圧の値が0.4V以上1.2V未満であるか否かを判定する。
【０３０３】
ステップＳ３８４において、シャトル電圧の値が0.4V以上1.2V未満であると判定された場合、すなわち、シャトル３７の位置がポジションＦである場合、ステップＳ３８５に進み、再生制御部１２５は、動画像の８倍速での早送り再生を制御し、ステップＳ３９５に進む。
【０３０４】
ステップＳ３８４において、シャトル電圧の値が0.4V以上1.2V未満でないと判定された場合、ステップＳ３８６に進み、検出部１２４は、シャトル電圧の値が1.2V以上1.7V未満であるか否かを判定する。
【０３０５】
ステップＳ３８６において、シャトル電圧の値が1.2V以上1.7V未満であると判定された場合、すなわち、シャトル３７の位置がポジションＥである場合、ステップＳ３８７に進み、再生制御部１２５は、動画像の４倍速での早送り再生を制御し、ステップＳ３９５に進む。
【０３０６】
また、ステップＳ３８６において、シャトル電圧の値が1.2V以上1.7V未満でないと判定された場合、ステップＳ３８８に進み、検出部１２４は、シャトル電圧の値が1.7V以上2.1V未満であるか否かを判定する。
【０３０７】
ステップＳ３８８において、シャトル電圧の値が1.7V以上2.1V未満であると判定された場合、すなわち、シャトル３７の位置がポジションＤである場合、ステップＳ３８９に進む。
【０３０８】
ステップＳ３８９において、再生制御部１２５は、圧縮伸張処理部５８を制御して、早送り再生または巻き戻し再生している動画像の再生を一時的に停止させて、ステップＳ３９５に進む。なお、既に動画像の再生が一時停止されている場合には、ステップＳ３８９において、再生制御部１２５は、継続して動画像の再生を一時停止させてステップＳ３９５に進む。
【０３０９】
これに対して、ステップＳ３８８において、シャトル電圧の値が1.7V以上2.1V未満でないと判定された場合、ステップＳ３９０に進み、検出部１２４は、シャトル電圧の値が2.1V以上2.6V未満であるか否かを判定する。
【０３１０】
ステップＳ３９０において、シャトル電圧の値が2.1V以上2.6V未満であると判定された場合、すなわち、シャトル３７の位置がポジションＣである場合、ステップＳ３９１に進み、再生制御部１２５は、動画像の４倍速での巻き戻し再生（早戻し再生）を制御し、処理はステップＳ３９５に進む。
【０３１１】
例えば、圧縮伸張処理部５８が、再生制御部１２５の制御の基に、動画像データおよび音声データの出力部５７への供給を一時的に停止している場合、圧縮伸張処理部５８は、再生制御部１２５の制御の基に、動画像データおよび音声データを出力部５７に供給して、４倍速で動画像を巻き戻し再生させる。
【０３１２】
また、ステップＳ３９０において、シャトル電圧の値が2.1V以上2.6V未満でないと判定された場合、ステップＳ３９２に進み、検出部１２４は、シャトル電圧の値が2.6V以上3.2V未満であるか否かを判定する。
【０３１３】
ステップＳ３９２において、シャトル電圧の値が2.6V以上3.2V未満であると判定された場合、すなわち、シャトル３７の位置がポジションＢである場合、ステップＳ３９３に進み、再生制御部１２５は、動画像の８倍速での巻き戻し再生を制御し、ステップＳ３９５に進む。
【０３１４】
ステップＳ３９２において、シャトル電圧の値が2.6V以上3.2V未満でないと判定された場合、すなわち、シャトル３７の位置がポジションＡである場合、ステップＳ３９４に進み、再生制御部１２５は、動画像の１６倍速での巻き戻し再生を制御し、ステップＳ３９５に進む。
【０３１５】
ステップＳ３９５において、判定部１２２は、シャトル３７以外の入力部６１が操作されたか否かを判定する。ステップＳ３９５において、シャトル３７以外の入力部６１が操作されていないと判定された場合、ステップＳ３８１に戻り、上述した処理が繰り返される。
【０３１６】
また、ステップＳ３９５において、シャトル３７以外の入力部６１が操作されたと判定された場合、所定の処理の実行が指示されたので、処理は図１９のステップＳ２９６に進む。
【０３１７】
このようにして、制御部６０は、動画像の一時停止中に、シャトル３７が操作されて回動されると、シャトル３７が回動された方向、および回動された角度に応じて、再生速度を変化させて動画像を早送り再生、または巻き戻し再生させる。そして、動画像が早送り再生、または巻き戻し再生されている時に、シャトル３７の位置がポジションＤとなるように操作されると、制御部６０は、早送り再生、または巻き戻し再生させていた動画像の再生を一時停止させる。
【０３１８】
このように、シャトル３７が回動された方向、および回動された角度に応じて、再生速度を変化させて早送り再生、または巻き戻し再生させることによって、ユーザは、シャトル３７を回動させるという簡単な操作で、再生速度を段階的に変化させて動画を再生することができる。これによりユーザは、動画像中の所望のシーンをより迅速に探し出すことができる。
【０３１９】
次に、図２２のフローチャートを参照して、図１９のステップＳ２９８の処理に対応する再生中における変速再生処理について説明する。この再生中における変速再生処理は、動画像の通常の再生速度での再生中、早送り再生中、または巻き戻し再生中に行われる。
【０３２０】
なお、ステップＳ４２１の処理乃至ステップＳ４２８の処理のそれぞれは、図２１のステップＳ３８１の処理乃至ステップＳ３８８の処理のそれぞれと同様であるので、その説明は省略する。
【０３２１】
ステップＳステップＳ４２８において、シャトル電圧の値が1.7V以上2.1V未満であると判定された場合、すなわち、シャトル３７の位置がポジションＤである場合、ステップＳ４２９に進む。
【０３２２】
ステップＳ４２９において、再生制御部１２５は、通常の再生速度での動画像の再生を制御し、処理は図１９のステップＳ２９９に進む。すなわち、再生制御部１２５は、圧縮伸張処理部５８を制御して、通常の再生速度で動画像を再生させる。
【０３２３】
また、ステップＳ４３０の処理乃至ステップＳ４３４の処理のそれぞれは、図２１のステップＳ３９０の処理乃至ステップＳ３９４の処理のそれぞれと同様であるので、その説明は省略する。
【０３２４】
このようにして、制御部６０は、動画像の再生中に、シャトル３７が操作されて回動されると、シャトル３７が回動された方向、および回動された角度に応じて、再生速度を変化させて動画像を早送り再生、または巻き戻し再生させる。したがって、例えば、シャトル３７の位置が変化するように、ユーザがシャトル３７を操作すると、ユーザは、画像処理装置１１に、シャトル３７の位置（回動された角度）に応じて、再生速度を段階的に変化させて通常の再生速度での再生、早送り再生、または巻き戻し再生させることができる。
【０３２５】
このように、シャトル３７が回動された方向、および回動された角度に応じて、再生速度を変化させることによって、ユーザは、シャトル３７を回動させるという簡単な操作で、再生速度を段階的に変化させて動画像を再生させることができる。
【０３２６】
以上のように、本発明によれば、シャトル３７が回動された角度に応じて、画像が選択される速度を段階的に変化させるようにしたので、シャトル３７を回動させるという簡単な操作で、より迅速に所望する画像を選択することができる。
【０３２７】
なお、以上においては、シャトル電圧の値が所定の範囲内の値であるか否かの判定の処理を、複数回行うことによってシャトル３７の位置を判定する構成とされているが、シャトル３７の位置の判定を行わずに、シャトル電圧の値が測定されると、そのシャトル電圧の値に対応する処理がそのまま実行されるようにしてもよい。
【０３２８】
また、シャトル３７が回動されると、画像処理装置１１は、シャトル３７が回動された角度（回動されて移動された位置）に応じた処理を行うと説明したが、画像処理装置１１に、所定の直線上を移動するシャトルを設けて、シャトルが操作されて移動された距離（移動された位置）に応じた処理を行わせるようにしてもよい。
【０３２９】
このような場合、図１に示した画像処理装置１１には、例えば、図中、上下方向に移動するシャトルが設けられる。このシャトルは、図１のシャトル３７における場合と同様に、ユーザがシャトルを操作して移動させた状態において、ユーザがシャトルから手を放すと（操作されていない状態になると）、シャトルは操作される前の位置に戻る。
【０３３０】
また、入力部６１（図２）から制御部６０（図３）の検出部１２４には、シャトルが移動された距離を示す電圧信号が供給される。検出部１２４は、この電圧信号の値を測定してシャトルが移動された距離（例えば、図１において、上方向または下方向に移動された距離）、すなわちシャトルが移動された位置を検出する。そして、シャトルが移動された位置が検出されると、制御部６０は、検出されたシャトルの位置に応じた処理を行う。
【０３３１】
例えば、表示部３４に、図１６に示した一覧表示画面３０１が表示されている場合に、シャトルが操作されると、制御部６０の再生制御部１２５は、一覧表示画面３０１上のカーソル３０３を、シャトルが移動された位置に応じた速度で移動させる。
【０３３２】
図２３は、上述した一連の処理をプログラムにより実行するパーソナルコンピュータの構成の例を示すブロック図である。パーソナルコンピュータ４０１のCPU４１１は、ROM４１２、または記録部４１８に記録されているプログラムに従って各種の処理を実行する。RAM４１３には、CPU４１１が実行するプログラムやデータなどが適宜記憶される。これらのCPU４１１、ROM４１２、およびRAM４１３は、バス４１４により相互に接続されている。
【０３３３】
CPU４１１にはまた、バス４１４を介して入出力インターフェース４１５が接続されている。入出力インターフェース４１５には、キーボード、マウス、マイクロフォンなどよりなる入力部４１６、ディスプレイ、スピーカなどよりなる出力部４１７が接続されている。CPU４１１は、入力部４１６から入力される指令に対応して各種の処理を実行する。そして、CPU４１１は、処理の結果を出力部４１７に出力する。
【０３３４】
入出力インターフェース４１５に接続されている記録部４１８は、例えばハードディスクからなり、CPU４１１が実行するプログラムや各種のデータを記録する。通信部４１９は、インターネットやローカルエリアネットワークなどのネットワークを介して外部の装置と通信する。
【０３３５】
また、通信部４１９を介してプログラムを取得し、記録部４１８に記録してもよい。
【０３３６】
入出力インターフェース４１５に接続されているドライブ４２０は、磁気ディスク、光ディスク、光磁気ディスク、或いは半導体メモリなどのリムーバブルメディア４３１が装着されたとき、それらを駆動し、そこに記録されているプログラムやデータなどを取得する。取得されたプログラムやデータは、必要に応じて記録部４１８に転送され、記録される。
【０３３７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０３３８】
コンピュータにインストールされ、コンピュータによって実行可能な状態とされるプログラムを格納するプログラム記録媒体は、図２３に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア４３１、または、プログラムが一時的もしくは永続的に格納されるROM４１２や、記録部４１８を構成するハードディスクなどにより構成される。プログラム記録媒体へのプログラムの格納は、必要に応じてルータ、モデムなどのインターフェースである通信部４１９を介して、ローカルエリアネットワーク、インターネット、デジタル衛星放送といった、有線または無線の通信媒体を利用して行われる。
【０３３９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３４０】
なお、本発明の実施の形態は、上述した実施の形態に限定されるものではなく、本発明の要旨を逸脱しない範囲において種々の変更が可能である。
【図面の簡単な説明】
【０３４１】
【図１】本発明を適用した画像処理装置の外観の構成例を示す図である。
【図２】画像処理装置の構成例を示すブロック図である。
【図３】制御部の機能的な構成例を示すブロック図である。
【図４】シャトルを説明するための図である。
【図５】シャトルが回動された角度の検出を説明するための図である。
【図６】シャトルの操作に応じた処理を説明する図である。
【図７】起動処理を説明するフローチャートである。
【図８】記録処理を説明するフローチャートである。
【図９】内部記録部のディレクトリ構造を説明する図である。
【図１０】プロパティファイルを説明する図である。
【図１１】リムーバブルメディアのディレクトリ構造を説明する図である。
【図１２】露出値の調整の処理を説明するフローチャートである。
【図１３】ズーム処理を説明するフローチャートである。
【図１４】再生処理を説明するフローチャートである。
【図１５】サムネイル画像の選択処理を説明するフローチャートである。
【図１６】一覧表示画面上におけるカーソルの移動を説明する図である。
【図１７】一覧表示画面上におけるカーソルの移動を説明する図である。
【図１８】静止画像の選択処理を説明するフローチャートである。
【図１９】動画像の再生処理を説明するフローチャートである。
【図２０】動画像の選択処理を説明するフローチャートである。
【図２１】一時停止中における変速再生処理を説明するフローチャートである。
【図２２】再生中における変速再生処理を説明するフローチャートである。
【図２３】パーソナルコンピュータの構成例を示すブロック図である。
【符号の説明】
【０３４２】
１１  画像処理装置，  ２１  本体，  ２２  本体，  ３１  モード切替ボタン，  ３２  シャッタボタン，  ３３  録画ボタン，  ３４  表示部，  ３７  シャトル，  ５１  撮影部，  ５７  出力部，  ５８  圧縮伸張処理部，  ５９  内部記録部，  ６０  制御部，  ６１  入力部，  ６３  ROM，  ９１  リムーバブルメディア，  １２１  撮影制御部，  １２２  判定部，  １２３  記録制御部，  １２４  検出部，  １２５  再生制御部，  ４０１  パーソナルコンピュータ，  ４１１  CPU，  ４１２  ROM，  ４１３  RAM，  ４１８  記録部，  ４３１  リムーバブルメディア
【図１】
2007065946.tif 000003
【図２】
2007065946.tif 000004
【図３】
2007065946.tif 000005
【図４】
2007065946.tif 000006
【図５】
2007065946.tif 000007
【図６】
2007065946.tif 000008
【図７】
2007065946.tif 000009
【図８】
2007065946.tif 000010
【図９】
2007065946.tif 000011
【図１０】
2007065946.tif 000012
【図１１】
2007065946.tif 000013
【図１２】
2007065946.tif 000014
【図１３】
2007065946.tif 000015
【図１４】
2007065946.tif 000016
【図１５】
2007065946.tif 000017
【図１６】
2007065946.tif 000018
【図１７】
2007065946.tif 000019
【図１８】
2007065946.tif 000020
【図１９】
2007065946.tif 000021
【図２０】
2007065946.tif 000022
【図２１】
2007065946.tif 000023
【図２２】
2007065946.tif 000024
【図２３】
2007065946.tif 000025